(57)【要約】【課題】界面活性剤を含む液体洗浄剤組成物を複数の吐出孔から吐出するときの吐出液の合一を抑制できる容器入り液体洗浄剤製品の提供。【解決手段】一態様に係る容器入り液体洗浄剤製品は、界面活性剤を含む液体洗浄剤組成物が容器に収容されたものであり、容器は吐出部を有し、吐出部の先端部に、内部と連通する複数の流路を有し、複数の流路はそれぞれ、一端に形成された流入孔と、他端に形成された吐出孔とを有し、容器を傾斜したときに液体洗浄剤組成物が流入孔から流入し、流路の軸線に沿って流通し、吐出孔から線状に吐出されるようになっており、複数の流路のうちの少なくとも一部の流路の軸線は、流入孔から吐出孔に向かうに従い容器の外側に向かって傾斜しており、液体洗浄剤組成物を吐出するときに、複数の流路それぞれの吐出孔が消泡機能又は撥水機能を有するように構成されている。【選択図】図２
2020200383.tif 000002
【特許請求の範囲】
【請求項１】
液体洗浄剤組成物が容器に収容された容器入り液体洗浄剤製品であり、
前記液体洗浄剤組成物は、界面活性剤（ただし消泡剤を除く。）を含み、
前記容器は、吐出部を有し、
前記吐出部の先端部に、前記容器の内部と連通する複数の流路を有し、
前記複数の流路はそれぞれ、一端に形成された流入孔と、他端に形成された吐出孔とを有し、
前記容器を傾斜したときに、前記液体洗浄剤組成物が前記流入孔から流入し、前記流路の軸線に沿って流通し、前記吐出孔から吐出されるようになっており、
前記複数の流路のうちの少なくとも一部の流路の前記軸線は、前記流入孔から前記吐出孔に向かうに従い前記容器の外側に向かって傾斜しており、
前記液体洗浄剤組成物を吐出するときに、前記複数の流路それぞれの前記吐出孔が消泡機能又は撥水機能を有する、容器入り液体洗浄剤製品。
【請求項２】
前記液体洗浄剤組成物が消泡剤を含む、請求項１に記載の容器入り液体洗浄剤製品。
【請求項３】
前記複数の吐出孔の周縁に消泡剤又は撥水剤が存在している、請求項１又は２に記載の容器入り液体洗浄剤製品。
【請求項４】
前記複数の吐出孔の周縁に消泡剤又は撥水剤の塗膜を有する、請求項１〜３のいずれか一項に記載の容器入り液体洗浄剤製品。
【請求項５】
前記消泡剤がシリコーン、アルコールのプロピレンオキシド付加物、高級脂肪酸及びその塩並びに脂肪酸エステルからなる群から選択される少なくとも１種を含む、請求項２〜４のいずれか一項に記載の容器入り液体洗浄剤製品。
【請求項６】
前記液体洗浄剤組成物がクエン酸をさらに含む、請求項１〜５のいずれか一項に記載の容器入り液体洗浄剤製品。
【請求項７】
前記液体洗浄剤組成物が糖アルコールをさらに含む、請求項１〜６のいずれか一項に記載の容器入り液体洗浄剤製品。
【請求項８】
前記容器が、前記吐出孔の周縁部の少なくとも一部に、前記吐出孔を含む平面から突出する突起部を有する、請求項１〜７のいずれか一項に記載の容器入り液体洗浄剤製品。
【請求項９】
前記容器が、前記吐出孔と前記突起部の間に、前記吐出孔を含む平面と面一に形成された平坦部を有する、請求項８に記載の容器入り液体洗浄剤製品。
【発明の詳細な説明】
【技術分野】
【０００１】
本発明は、容器入り液体洗浄剤製品に関する。
【背景技術】
【０００２】
衣類、カバー類等の繊維製品の特定の領域に広範囲に亘ってムラなく適量の液体を塗布する方法としては、複数の吐出孔を有するキャップを備えたスクイズ容器を用いる方法がある（特許文献１）。
【先行技術文献】
【特許文献】
【０００３】
【特許文献１】特開２０１７−２２２４１４号公報
【発明の概要】
【発明が解決しようとする課題】
【０００４】
しかし、スクイズ容器に収容する内容液が、洗浄成分として界面活性剤を含む液体洗浄剤組成物である場合、内容液を吐出したときに、吐出孔近傍に泡膜や液溜りが生じる。この状態で再び内容液を吐出すると、複数の吐出孔それぞれから吐出された内容液（以下、「吐出液」ともいう。）の吐出方向が泡膜や液溜りによって変化し、複数の吐出液が合一する。吐出液が合一すると、特定の領域に広範囲に亘ってムラなく適量の内容液を塗布できず、使用性が低下する。
【０００５】
本発明は、界面活性剤を含む液体洗浄剤組成物を複数の吐出孔から吐出するときの吐出液の合一を抑制でき、使用性に優れる容器入り液体洗浄剤製品の提供を目的とする。
【課題を解決するための手段】
【０００６】
本発明は、以下の態様を有する。
〔１〕液体洗浄剤組成物が容器に収容された容器入り液体洗浄剤製品であり、
前記液体洗浄剤組成物は、界面活性剤（ただし消泡剤を除く。）を含み、
前記容器は、吐出部を有し、
前記吐出部の先端部に、前記容器の内部と連通する複数の流路を有し、
前記複数の流路はそれぞれ、一端に形成された流入孔と、他端に形成された吐出孔とを有し、
前記容器を傾斜したときに、前記液体洗浄剤組成物が前記流入孔から流入し、前記流路の軸線に沿って流通し、前記吐出孔から吐出されるようになっており、
前記複数の流路のうちの少なくとも一部の流路の前記軸線は、前記流入孔から前記吐出孔に向かうに従い前記容器の外側に向かって傾斜しており、
前記液体洗浄剤組成物を吐出するときに、前記複数の流路それぞれの前記吐出孔が消泡機能又は撥水機能を有する、容器入り液体洗浄剤製品。
〔２〕前記液体洗浄剤組成物が消泡剤を含む、〔１〕の容器入り液体洗浄剤製品。
〔３〕前記複数の吐出孔の周縁に消泡剤又は撥水剤が存在している、〔１〕又は〔２〕の容器入り液体洗浄剤製品。
〔４〕前記複数の吐出孔の周縁に消泡剤又は撥水剤の塗膜を有する、〔１〕〜〔３〕のいずれかの容器入り液体洗浄剤製品。
〔５〕前記消泡剤がシリコーン、アルコールのプロピレンオキシド付加物、高級脂肪酸及びその塩並びに脂肪酸エステルからなる群から選択される少なくとも１種を含む、〔２〕〜〔４〕のいずれかの容器入り液体洗浄剤製品。
〔６〕前記液体洗浄剤組成物がクエン酸をさらに含む、〔１〕〜〔５〕のいずれかの容器入り液体洗浄剤製品。
〔７〕前記液体洗浄剤組成物が糖アルコールをさらに含む、〔１〕〜〔６〕のいずれかの容器入り液体洗浄剤製品。
〔８〕前記容器が、前記吐出孔の周縁部の少なくとも一部に、前記吐出孔を含む平面から突出する突起部を有する、〔１〕〜〔７〕のいずれかの容器入り液体洗浄剤製品。
〔９〕前記容器が、前記吐出孔と前記突起部の間に、前記吐出孔を含む平面と面一に形成された平坦部を有する、〔８〕の容器入り液体洗浄剤製品。
【発明の効果】
【０００７】
本発明によれば、界面活性剤を含む液体洗浄剤組成物を複数の吐出孔から吐出するときの吐出液の合一を抑制でき、使用性に優れる容器入り液体洗浄剤製品を提供できる。
【図面の簡単な説明】
【０００８】
【図１】一実施形態に係る容器１の正面図である。
【図２】図１の容器１が備えるキャップ５（蓋部を開いた状態）を示す断面図である。
【図３】図２に示したキャップ５の平面図である。
【図４】図２に示したキャップ５が備える吐出部５５の部分拡大平面図である。
【図５】図２に示したキャップ５が備える吐出部５５の部分拡大断面図である。
【図６】図１に示した容器１が備える容器本体３の背面図である。
【図７】図６に示した容器本体３の右側面図である。
【図８】複数の流路の配置の一例を模式的に示す平面図である。
【図９】複数の流路の配置の一例を模式的に示す断面図である。
【図１０】複数の流路の配置の一例を模式的に示す断面図である。
【図１１】複数の流路の配置の一例を模式的に示す断面図である。
【図１２】実施例で使用したキャップが有する流路及びその近傍の形状を示す断面図である。
【図１３】実施例における噴射角度の評価方法を説明する写真である。
【発明を実施するための形態】
【０００９】
本発明の容器入り液体洗浄剤製品（以下、「本製品」ともいう。）は、液体洗浄剤組成物が容器に収容されたものである。
液体洗浄剤組成物は、界面活性剤（ただし消泡剤を除く。）を含む。
容器は吐出部を有し、吐出部の先端部に、容器の内部と連通する複数の流路を有する。
複数の流路はそれぞれ、一端に形成された流入孔と、他端に形成された吐出孔とを有し、容器を傾斜したときに、液体洗浄剤組成物が流入孔から流入し、流路の軸線に沿って流通し、吐出孔から吐出されるようになっている。
液体洗浄剤組成物及び容器については後で詳しく説明する。
なお、後述する本実施形態では、液体洗浄剤組成物がスクイズ容器に収容されたものを一例として説明するが、本製品における容器はスクイズ容器に限定されない。
【００１０】
本製品は、液体洗浄剤組成物を吐出するときに、複数の流路それぞれの吐出孔が消泡機能又は撥水機能を有するように構成されている。そのため、液体洗浄剤組成物を吐出したときに、各吐出孔の近傍に泡膜や液溜まりが生じても、各吐出孔の消泡機能又は撥水機能によって泡膜や液溜まりを解消できる。さらに、その後、再び液体洗浄剤組成物を吐出したときに、各吐出孔から吐出された液体洗浄剤組成物（吐出液）の吐出方向が泡膜や液溜りによって変化することを抑制できる。
したがって、液体洗浄剤組成物を複数回吐出する場合でも、複数の吐出液が合一することを抑制でき、繊維製品等の被塗布物に広範囲に亘ってムラなく適量の液体洗浄剤組成物を塗布できる。
【００１１】
ここで「複数の流路それぞれの吐出孔が消泡機能又は撥水機能を有する」ように構成されている例としては、以下の態様１、態様２及びこれらの組み合わせが挙げられる。
態様１：液体洗浄剤組成物が消泡剤を含む。
態様２：複数の流路それぞれの吐出孔の周縁に消泡剤又は撥水剤が存在している。
【００１２】
態様１（液体洗浄剤組成物が消泡剤を含む）では、液体洗浄剤組成物を吐出する際に、液体洗浄剤組成物中の消泡剤が複数の吐出孔それぞれの周縁に接して消泡機能を付与する。
態様２（複数の流路それぞれの吐出孔の周縁に消泡剤又は撥水剤が存在している）では、各吐出孔の周縁に存在する消泡剤又は撥水剤が、各吐出孔それぞれの周縁に消泡機能又は撥水機能を付与する。
態様２の例としては、吐出部が、消泡剤又は撥水剤を含む材料で構成されている例や、各吐出孔の周縁に消泡剤又は撥水剤の塗膜を有する例が挙げられる。
消泡剤又は撥水剤は、各吐出孔の周縁のほか、流路の表面や吐出孔の外側の表面に存在していてもよい。
消泡剤及び撥水剤については後で詳しく説明する。
【００１３】
（液体洗浄剤組成物）
液体洗浄剤組成物は、界面活性剤（ただし消泡剤を除く。）（以下、「（Ａ）成分」ともいう。）を含む。
液体洗浄剤組成物は、必要に応じて、消泡剤（以下、「（Ｂ）成分」ともいう。）をさらに含んでいてもよい。
液体洗浄剤組成物は、必要に応じて、クエン酸（以下、「（Ｃ）成分」ともいう。）をさらに含んでいてもよい。
液体洗浄剤組成物は、必要に応じて、糖アルコール（以下、「（Ｄ）成分」ともいう。）をさらに含んでいてもよい。
【００１４】
＜（Ａ）成分＞
（Ａ）成分は、界面活性剤（ただし（Ｂ）成分（消泡剤）を除く。）である。（Ａ）成分は、液体洗浄剤組成物に洗浄力を付与する。
（Ａ）成分としては、アニオン界面活性剤、ノニオン界面活性剤、カチオン界面活性剤、両性界面活性剤、半極性界面活性剤等が挙げられる。
ただし、本発明において、消泡剤として機能する界面活性剤、例えば後述する高級脂肪酸及びその塩、並びに脂肪酸エステルは、（Ｂ）成分に該当し、（Ａ）成分には該当しないものとする。
【００１５】
アニオン界面活性剤としては、例えば、直鎖アルキルベンゼンスルホン酸又はその塩（ＬＡＳ）、α−オレフィンスルホン酸又はその塩（ＡＯＳ）、内部オレフィンスルホン酸又はその塩（ＩＯＳ）、ヒドロキシアルカンスルホン酸又はその塩、直鎖状又は分岐鎖状のアルキル硫酸エステル又はその塩、ポリオキシアルキレンアルキルエーテル硫酸エステル又はその塩（ＡＥＳ）、ポリオキシアルキレンアルケニルエーテル硫酸エステル又はその塩、アルキル基を有するアルカンスルホン酸又はその塩、α−スルホ脂肪酸エステル又はその塩（ＭＥＳ）、アルキルエーテルカルボン酸又はその塩、ポリオキシアルキレンエーテルカルボン酸又はその塩、アルキルアミドエーテルカルボン酸又はその塩、アルケニルアミドエーテルカルボン酸又はその塩、アシルアミノカルボン酸又はその塩等のカルボン酸型アニオン性界面活性剤、アルキルリン酸エステル又はその塩、ポリオキシアルキレンアルキルリン酸エステル又はその塩、ポリオキシアルキレンアルキルフェニルリン酸エステル又はその塩、グリセリン脂肪酸エステルモノリン酸エステル又はその塩等のリン酸エステル型アニオン性界面活性剤等が挙げられる。
塩としては、ナトリウム、カリウム等とのアルカリ金属塩、マグネシウム等とのアルカリ土類金属塩、モノエタノールアミン、ジエタノールアミン等とのアルカノールアミン塩等が挙げられる。
【００１６】
アニオン界面活性剤としては、液体洗浄剤組成物を繊維製品に塗布してから放置したときに汚れが拡がりにくい（汚れの拡がり防止性に優れる）点で、ポリオキシアルキレンアルキルエーテル硫酸エステル、ポリオキシアルキレンアルケニルエーテル硫酸エステル及びそれらの塩からなる群から選ばれる少なくとも１種が好ましい。
【００１７】
ポリオキシアルキレンアルキルエーテル硫酸エステル、ポリオキシアルキレンアルケニルエーテル硫酸エステル又はそれらの塩としては、下記式（ａ１）で表される化合物（以下、「化合物（ａ１）」という。）が挙げられる。
Ｒ１１−Ｏ−［（ＥＯ）ｋ／（ＰＯ）ｎ］−ＳＯ３Ｍ  ・・・（ａ１）
式（ａ１）中、Ｒ１１は炭素数８〜２０の直鎖状もしく分岐鎖状のアルキル基又は炭素数８〜２０の直鎖状もしくは分岐鎖状のアルケニル基であり、ＥＯはオキシエチレン基であり、ＰＯはオキシプロピレン基であり、ｋはＥＯの平均繰り返し数を表し０以上の数であり、ｎはＰＯの平均繰り返し数を表し０〜６の数であり、Ｍは水素原子又は対カチオンである。
【００１８】
Ｒ１１は、炭素数１０〜２０の直鎖又は分岐鎖のアルキル基が好ましく、炭素数１２〜１４の直鎖又は分岐鎖のアルキル基がより好ましい。
式（ａ１）におけるｋ＝０、ｎ＝０の成分の含有量は、総質量に対して３５〜５５質量％であることが好ましい。
ｋは０〜５が好ましく、０．１〜３がより好ましく、０．５〜３がさらに好ましく、０．５〜２．５が特に好ましい。
ｎは０〜３が好ましく、０がより好ましい。
ｋ＋ｎは０超の数が好ましく、１〜５がより好ましい。
ｋ及びｎがそれぞれ０ではない場合、つまり化合物（ａ１）がＥＯとＰＯとの両方を有する場合、ＥＯとＰＯとは、ブロック状に付加されていてもよく、ランダム状に付加されていてもよい。ＥＯとＰＯとをブロック状に付加する方法としては、例えば、エチレンオキシドを導入した後にプロピレンオキシドを導入する方法、プロピレンオキシドを導入した後にエチレンオキシドを導入する方法が挙げられる。エチレンオキシド及びプロピレンオキシドの付加モル数分布は特に限定されない。
Ｍの対カチオンとしては、ナトリウム、カリウム等のアルカリ金属イオン、マグネシウム等のアルカリ土類金属イオン、モノエタノールアミン、ジエタノールアミン等のアルカノールアミン等が挙げられる。
【００１９】
ノニオン界面活性剤としては、例えば、下記式（ａ２）で表される化合物（以下、「化合物（ａ２）」という。）が挙げられる。
Ｒ１２−Ｘ−［（ＥＯ）ｓ／（ＰＯ）ｔ］−（ＥＯ）ｕ−Ｒ１３  ・・・（ａ２）
式（ａ２）中、Ｒ１２は炭素数６〜２２の炭化水素基であり、−Ｘ−は−Ｏ−、−Ｃ（＝Ｏ）Ｏ−又は−Ｃ（＝Ｏ）ＮＨ−であり、Ｒ１３は水素原子、アルキル基又はアルケニル基であり、ＥＯはオキシエチレン基であり、ＰＯはオキシプロピレン基であり、ｓはＥＯの平均繰り返し数を表し３〜２０の数であり、ｔはＰＯの平均繰り返し数を表し０〜６の数であり、ｕはＥＯの平均繰り返し数を表し０〜２０の数である。
ｔが１以上である場合、［（ＥＯ）ｓ／（ＰＯ）ｔ］において、ＥＯとＰＯとの配列順序は特に制限されない。また、ＥＯとＰＯはブロック状に配列していてもよいし、ランダム状に配列していてもよい。
【００２０】
式（ａ２）中、Ｒ１２の炭化水素基の炭素数は、６〜２２であり、８〜２０が好ましく、１０〜１８がより好ましい。Ｒ１２の炭化水素基は、直鎖であっても分岐鎖であってもよく、不飽和結合を有していても有していなくてもよい。
−Ｘ−としては、−Ｏ−、−ＣＯＯ−、−ＣＯＮＨ−等が挙げられる。−Ｘ−が−Ｏ−、−ＣＯＯ−又は−ＣＯＮＨ−である化合物（ａ２）は、第１級もしくは第２級の高級アルコール（Ｒ１２−ＯＨ）、高級脂肪酸（Ｒ１２−ＣＯＯＨ）又は高級脂肪酸アミド（Ｒ１２−ＣＯＮＨ）を原料として得られる。
Ｒ１３におけるアルキル基の炭素数は、例えば１〜６であり、１〜３が好ましい。
Ｒ１３におけるアルケニル基の炭素数は、例えば２〜６であり、２〜３が好ましい。
ｓは、ＥＯの平均繰り返し数（すなわち、エチレンオキシドの平均付加モル数）を表し、３〜３０の数であり、５〜２５が好ましく、７〜２０がより好ましく、１０〜１６がさらに好ましく、１３〜１６が特に好ましい。ｓが前記範囲の下限値以上であれば、液体洗浄剤組成物を繊維製品に塗布してから洗濯するまでの時間が短いときの性能がより優れる。ｓが前記範囲の上限値以下であれば、液体洗浄剤組成物を繊維製品に塗布してから放置したときに汚れが拡がりにくい。
ｔは、ＰＯの平均繰り返し数（すなわち、プロピレンオキシドの平均付加モル数）を表し、０〜６の数であり、０〜３が好ましい。
【００２１】
カチオン性界面活性剤としては、例えば、アルキルトリメチルアンモニウム塩、ジアルキルジメチルアンモニウム塩、アルキルベンジルジメチルアンモニウム塩、アルキルピリジニウム塩、アルキルアミドアミンが挙げられる。
【００２２】
両性界面活性剤としては、例えば、アルキルベタイン型、アルキルアミドベタイン型、イミダゾリン型、アルキルアミノスルホン型、アルキルアミノカルボン酸型、アルキルアミドカルボン酸型、アミドアミノ酸型、リン酸型等が挙げられる。
【００２３】
半極性界面活性剤としては、例えば、ラウリルジメチルアミンオキシド、ラウリン酸アミドプロピルジメチルアミンオキシド等が挙げられる。
【００２４】
これらの（Ａ）成分は１種単独で用いられてもよく、２種以上が組み合わされて用いられてもよい。
（Ａ）成分は、アニオン性界面活性剤を含むことが好ましい。一般に、界面活性剤としてアニオン界面活性剤を含むと、液体洗浄剤組成物を複数の吐出孔から吐出したときに、吐出孔近傍に泡膜や液溜りが生じやすく、吐出液の合一が生じやすい傾向がある。本発明によれば吐出液の合一を抑制できるので、（Ａ）成分がアニオン性界面活性剤を含む場合の有用性が高い。
【００２５】
（Ａ）成分の含有量は、液体洗浄剤組成物の総質量に対し、５０質量％以下が好ましく、３〜４０質量％がより好ましく、５〜３０質量％がさらに好ましい。（Ａ）成分の含有量が上記上限値以下であれば、（Ａ）成分がアニオン界面活性剤（特にＡＥＳ）を含む場合でも、液体洗浄剤組成物の吐出時の泡立ちを充分に抑制できる。また、汚れの拡がり防止性がより優れる。（Ａ）成分の含有量が上記下限値以上であれば、洗浄力がより優れる。
【００２６】
アニオン界面活性剤の含有量は、液体洗浄剤組成物の総質量に対し、５０質量％以下が好ましく、３〜４０質量％がより好ましく、５〜３０質量％がさらに好ましい。
アニオン界面活性剤の含有量は、（Ａ）成分の総質量に対し、２０質量％以上が好ましく、４０質量％以上がより好ましく、６０質量％以上がさらに好ましく、８０質量％以上が特に好ましい。
【００２７】
ポリオキシアルキレンアルキルエーテル硫酸エステル、ポリオキシアルキレンアルケニルエーテル硫酸エステル及びそれらの塩からなる群から選ばれる少なくとも１種の含有量は液体洗浄剤組成物の総質量に対し、３０質量％以下が好ましく、３〜３０質量％がより好ましい。
【００２８】
ノニオン界面活性剤の含有量は、液体洗浄剤組成物の総質量に対し、５０質量％以下が好ましく、４０質量％以下がより好ましく、３０質量％以下がさらに好ましく、１０質量％以下が特に好ましい。
ノニオン界面活性剤の含有量は、（Ａ）成分の総質量に対し、８０質量％以下が好ましく、６０質量％以下がより好ましく、４０質量％以下がさらに好ましく、２０質量％以下が特に好ましい。
【００２９】
（Ａ）成分がアニオン界面活性剤とノニオン界面活性剤とを含む場合、アニオン界面活性剤とノニオン界面活性剤との質量比（アニオン界面活性剤／ノニオン界面活性剤）は、０．２以上が好ましく、１．０以上がより好ましく、２．０以上がさらに好ましい。また、２００以下が好ましく、１００以下がより好ましく、２０以下がさらに好ましい。
【００３０】
カチオン界面活性剤の含有量は、液体洗浄剤組成物の総質量に対し、０〜１０質量％が好ましい。
両性界面活性剤の含有量は、液体洗浄剤組成物の総質量に対し、０〜１０質量％が好ましい。
半極性界面活性剤は、液体洗浄剤組成物の総質量に対し、０〜１０質量％が好ましい。
【００３１】
＜（Ｂ）成分＞
（Ｂ）成分は消泡剤である。（Ｂ）成分は、液体洗浄剤組成物が複数の吐出孔から吐出されたときの吐出液の合一を抑制するために用いられる。
（Ｂ）成分としては、公知の消泡剤を用いてよい。
（Ｂ）成分としては、合一抑制効果の点から、シリコーン、アルコールのプロピレンオキシド付加物、高級脂肪酸及びその塩並びに脂肪酸エステルからなる群から選択される少なくとも１種が好ましい。
液体洗浄剤組成物中の（Ｂ）成分の含有量は、所望の消泡機能が得られるように、（Ｂ）成分の種類に応じて適宜選定できる。
【００３２】
シリコーンとしては、例えば、オイル型、オイルコンパウンド型、溶液型、エマルション型、自己乳化型等が挙げられる。
オイル型のシリコーンは、未変性のシリコーンオイル１００％で構成され、シリカを含まない消泡剤である。市販品としては、ＫＦ−９６（信越化学工業株式会社）、ＳＨ２００（東レ・ダウコーニング株式会社）が挙げられる。
オイルコンパウンド型のシリコーンは、シリコーンオイルに微粉末シリカ等の水不溶性粒子を配合した消泡剤である。市販品としては、８５９０  Ａｄｄｉｔｉｖｅ（東レ・ダウコーニング株式会社）、ＡＦ−８０１４  アンチフォーム（東レ・ダウコーニング株式会社）、ＡＣ−８０６６  アンチフォーム（東レ・ダウコーニング株式会社）、ＡＣＰ−３０７３  アンチフォーム（東レ・ダウコーニング株式会社）、ＫＳ−６６（信越化学工業株式会社）、ＫＦ−６９（信越化学工業株式会社）等が挙げられる。
溶液型のシリコーンは、シリコーンオイルをイソパラフィン等の溶剤に溶解した消泡剤である。市販品としては、ＫＳ−６０２Ａ（信越化学工業株式会社）等が挙げられる。
エマルション型のシリコーンは、シリコーンオイルコンパウンドをノニオン界面活性剤で乳化した消泡剤である。市販品としては、ＦＳアンチフォーム９３（東レ・ダウコーニング株式会社）、ＫＭ−７２Ｓ（信越化学工業株式会社）、ＫＭ−７３（信越化学工業株式会社）、ＫＭ−７７５０（信越化学工業株式会社）、ＫＭ−７７５２（信越化学工業株式会社）、ＫＭ−９０（信越化学工業株式会社）、ＫＭ−９８（信越化学工業株式会社）等が挙げられる。
自己乳化型のシリコーンは、親水性の変性シリコーンオイルとオイルコンパウンドから構成される消泡剤である。市販品としては、ＫＳ−５３７（信越化学工業株式会社）等が挙げられる。
シリコーンは、シリコーンオイルの表面張力が小さいため、抑泡性を発揮する。また、オイルコンパウンド型のように水不溶性粒子を配合した場合は、シリコーンオイルによって泡の表面に運ばれた水不溶性粒子が物理的に泡を破ると考えられる。溶液型、エマルション型、自己乳化型は、使用時の分散性を高めるため、シリコーンオイルに乳化剤等が加えられたものである。
【００３３】
シリコーンとしては、吐出液の合一抑制効果がより優れる点から、エマルション型のシリコーンが好ましく、水への分散性が優れているもの（ＫＭ−９０、ＫＭ−９８等）がより好ましい。
【００３４】
（Ｂ）成分がシリコーンを含む場合、シリコーンの含有量は、液体洗浄剤組成物の総質量に対し、１０〜６００質量ｐｐｍが好ましく、２０〜３００質量ｐｐｍがより好ましく、５０〜２００質量ｐｐｍがさらに好ましい。
【００３５】
アルコールのプロピレンオキシド付加物としては、例えば、メタノール、エタノール、プロパノール、ブタノール、ペンタノール、ヘキサノール、ヘプタノール、オクタノール等のモノアルコールにプロピレンオキシドを付加させたもの；エタンジオール等のジオール、グリセリン等のトリオール、エリスリトール等のテトラオール、ソルビトール等のヘキサオール等の多価アルコールにプロピレンオキシドを付加させたもの等が挙げられる。
アルコールのプロピレンオキシド付加物の具体例としては、下記式（ｆ１）〜（ｆ３）のいずれかで表されるものが挙げられる。
【００３６】
【化１】
2020200383.tif 000003
【００３７】
式中、Ｒ１は炭素数１〜８の炭化水素基であり、ＰＯはオキシプロピレン基であり、ｎ１はＰＯの平均繰り返し数を表し１０〜３５０の数であり、ｎ２及びｎ３はそれぞれ独立にＰＯの平均繰り返し数を表し、ｎ２及びｎ３の合計は１０〜３５０の数であり、ｎ４、ｎ５及びｎ６はそれぞれ独立にＰＯの平均繰り返し数を表し、ｎ４、ｎ５及びｎ６の合計は１０〜３５０の数である。
【００３８】
式（ｆ１）中、Ｒ１は炭素数１〜８の炭化水素基であり、炭素数１〜３の炭化水素基が好ましい。Ｒ１の炭化水素基は、直鎖であっても分岐鎖であってもよく、不飽和結合を有していても有していなくてもよい。Ｒ１としては、アルキル基、アルキレン基が挙げられ、具体例としては、メチル基、エチル基、プロピル基、ブチル基が挙げられる。
ｎ１〜ｎ６は、それぞれ、１０〜５０であることが好ましく、１５〜４０であることがより好ましい。
【００３９】
アルコールのプロピレンオキシド付加物の重量平均分子量は、２５００〜５５００が好ましく、３０００〜５０００がより好ましい。
本明細書において重量平均分子量は、ポリプロピレングリコール（重量平均分子量：８００、１，２００、２，０００、４，０００）を標準としたＧＰＣ（ゲル浸透クロマトグラフィー）で得られる分子量分布より求められる。
【００４０】
（Ｂ）成分がアルコールのプロピレンオキシド付加物を含む場合、アルコールのプロピレンオキシド付加物の含有量は、液体洗浄剤組成物の総質量に対し、０．０１〜２０質量％が好ましく、０．０５〜１０質量％がより好ましく、０．０８〜５質量％がさらに好ましく、０．１〜１．５質量％が特に好ましい。アルコールのプロピレンオキシド付加物の含有量が上記範囲内であれば、吐出液の合一抑制効果がより優れる。
【００４１】
高級脂肪酸の炭化水素基の炭素数は、１０〜２０が好ましく、１２〜１８がより好ましい。高級脂肪酸の具体例としては、カプリル酸、カプリン酸、ラウリン酸、ミリスチン酸、パルミチン酸、ステアリン酸、イソステアリン酸、ヒドロキシステアリン酸、オレイン酸、ベヘン酸等の単一脂肪酸、ヤシ油脂肪酸、牛脂脂肪酸等の混合脂肪酸が挙げられる。
塩としては、ナトリウム、カリウム等のアルカリ金属塩；マグネシウム等のアルカリ土類金属塩；モノエタノールアンモニウム、ジエタノールアンモニウム等のアルカノールアミン塩等が挙げられる。
【００４２】
（Ｂ）成分が高級脂肪酸又はその塩を含む場合、高級脂肪酸又はその塩の含有量（塩の場合も高級脂肪酸としての含有量。以下同じ。）は、液体洗浄剤組成物の総質量に対し、０．０１〜２０質量％が好ましく、０．０５〜１０質量％がより好ましく、０．０８〜５質量％がさらに好ましく、０．１〜１．５質量％が特に好ましい。高級脂肪酸又はその塩の含有量が上記範囲内であれば、吐出液の合一抑制効果がより優れる。
【００４３】
脂肪酸エステルとしては、例えば、下記式（ｆ４）で表されるものが挙げられる。
Ｘ１−ＣＯＯ−Ｙ１  ・・・（ｆ４）
式中、Ｘ１は、炭素数５〜２１の分岐鎖状アルキル基又は炭素数５〜２１の直鎖状アルキル基である。Ｘ１が直鎖状アルキル基である場合、式（ｆ４）中のカルボニル基の炭素原子に結合する炭素原子は第２級炭素原子である。Ｙ１は、炭素数３〜１６のアルキル基又は−（Ｒ３１Ｏ）ｍ１−Ｒ３２である。Ｒ３１は、炭素数２〜４のアルキレン基である。ｍ１はＲ３１Ｏの平均繰り返し数を示し１〜５である。Ｒ３２は、炭素数１〜１６のアルキル基、フェニル基又はベンジル基である。
脂肪酸エステルとして具体的には、２−エチルヘキサン酸２−エチルヘキシル（別称：イソオクチル酸２−エチルヘキシル、２Ｈ０８）等が挙げられる。
これらの（Ｂ）成分は１種単独で用いられてもよく、２種以上が組み合わされて用いられてもよい。
【００４４】
（Ｂ）成分が脂肪酸エステルを含む場合、脂肪酸エステルの含有量は、液体洗浄剤組成物の総質量に対し、０．０１〜２０質量％が好ましく、０．０５〜１０質量％がより好ましく、０．０８〜５質量％がさらに好ましく、０．１〜１．５質量％が特に好ましい。肪酸エステルの含有量が上記範囲内であれば、吐出液の合一抑制効果がより優れる。
【００４５】
（Ｂ）成分の含有量（質量％）に対する（Ａ）成分の含有量（質量％）の質量比（（Ａ）／（Ｂ））は、１〜５０００が好ましく、２〜２０００がより好ましく、４〜２００がさらに好ましい。（Ａ）／（Ｂ）が上記下限値以上であれば、かけおき洗浄力と外観安定性がより優れ、上記上限値以下であれば、吐出液の合一抑制効果がより優れる。
ここで、「含有量（質量％）」は、液体洗浄剤組成物の総質量に対する割合である。以下においても、特に記載が無い場合は同様である。
【００４６】
（Ｂ）成分がシリコーンを含む場合、シリコーンの含有量（質量％）に対する（Ａ）成分の含有量（質量％）の質量比（（Ａ）／（Ｂ：シリコーン））は、１００〜２００００が好ましく、１００〜１００００がより好ましく、１５０〜６０００がさらに好ましい。（Ａ）／（Ｂ：シリコーン）が上記下限値以上であれば、かけおき洗浄力と外観安定性がより優れ、上記上限値以下であれば、吐出液の合一抑制効果がより優れる。
【００４７】
（Ｂ）成分がアルコールのプロピレンオキシド付加物、高級脂肪酸及びその塩並びに脂肪酸エステルからなる群から選択される少なくとも１種（以下、「シリコーンを除く（Ｂ）成分」とも記す。）を含む場合、シリコーンを除く（Ｂ）成分の含有量（質量％）に対する（Ａ）成分の含有量（質量％）の質量比（（Ａ）／（Ｂ：シリコーンを除く））は、１〜１００が好ましく、２〜５０がより好ましく、４〜２０がさらに好ましい。（Ａ）／（Ｂ：シリコーンを除く）が上記下限値以上であれば、かけおき洗浄力と外観安定性がより優れ、上記上限値以下であれば、吐出液の合一抑制効果がより優れる。
【００４８】
（Ａ）成分がアニオン界面活性剤を含む場合、（Ｂ）成分の含有量（質量％）に対するアニオン界面活性剤の含有量（質量％）の質量比（アニオン界面活性剤／（Ｂ））は、１〜２５００が好ましく、２〜５００がより好ましく、４〜１００がさらに好ましい。（アニオン界面活性剤／（Ｂ）が上記下限値以上であれば、かけおき洗浄力と外観安定性がより優れ、上記上限値以下であれば、吐出液の合一抑制効果がより優れる。
【００４９】
（Ａ）成分がアニオン界面活性剤を含み、（Ｂ）成分がシリコーンを含む場合、シリコーンの含有量（質量％）に対するアニオン界面活性剤の含有量（質量％）の質量比（アニオン界面活性剤／（Ｂ：シリコーン））は、１００〜２００００が好ましく、１００〜１００００がより好ましく、１５０〜４０００がさらに好ましい。アニオン界面活性剤／（Ｂ：シリコーン）が上記下限値以上であれば、かけおき洗浄力と外観安定性がより優れ、上記上限値以下であれば、吐出液の合一抑制効果がより優れる。
【００５０】
（Ａ）成分がアニオン界面活性剤を含み、（Ｂ）成分がシリコーンを除く（Ｂ）成分を含む場合、シリコーンを除く（Ｂ）成分の含有量（質量％）に対するアニオン界面活性剤の含有量（質量％）の質量比（アニオン界面活性剤／（Ｂ：シリコーンを除く））は、１〜１００が好ましく、２〜５０がより好ましく、４〜２０がさらに好ましい。アニオン界面活性剤／（Ｂ：シリコーンを除く）が上記下限値以上であれば、かけおき洗浄力と外観安定性がより優れ、上記上限値以下であれば、吐出液の合一抑制効果がより優れる。
【００５１】
＜（Ｃ）成分＞
（Ｃ）成分はクエン酸である。（Ｃ）成分は、液体洗浄剤組成物の液外観安定性を高め、液体洗浄剤組成物の使用性を高めるために用いられる。
一般に、液体洗浄剤組成物がポリオキシアルキレンアルキルエーテル硫酸エステル、ポリオキシアルキレンアルケニルエーテル硫酸エステル及びそれらの塩からなる群から選ばれる少なくとも１種と（Ｃ）成分とを含む場合、（Ａ）成分及び（Ｃ）成分が析出することで吐出孔が詰まり、合一が生じやすい傾向がある。本発明では、このような場合でも合一を抑制できる。
したがって、好ましい一態様において液体洗浄剤組成物は、（Ａ）成分と（Ｃ）成分とを含み、（Ａ）成分がポリオキシアルキレンアルキルエーテル硫酸エステル、ポリオキシアルキレンアルケニルエーテル硫酸エステル及びそれらの塩からなる群から選ばれる少なくとも１種を含む。
【００５２】
（Ｃ）成分の含有量は、液体洗浄剤組成物の総質量に対し、０．１〜１０質量％が好ましく、０．２〜５質量％がより好ましく、０．５〜３質量％がさらに好ましい。（Ｃ）成分の含有量が上記下限値以上であれば、液体洗浄剤組成物の液外観安定性がより優れる。（Ｃ）成分の含有量が上記上限値以下であれば、液体洗浄剤組成物の粘度が吐出性に優れた範囲になる。
【００５３】
（Ｃ）成分に対する（Ａ）成分の質量比（以下、「（Ａ）／（Ｃ）」ともいう。）は、０．１〜５０が好ましく、０．３〜３０がより好ましく、０．５〜２０がさらに好ましい。（Ａ）／（Ｃ）が上記下限値以上であれば、液外観安定性を保ちつつ、使用性の高い粘度に調製できる。（Ａ）／（Ｃ）が上記上限値以下であれば、液外観安定性がより優れる。
【００５４】
＜（Ｄ）成分＞
（Ｄ）成分は、糖アルコールである。（Ｄ）成分は、洗浄力、特に液体洗浄剤組成物を繊維製品に塗布し、放置してから洗濯する場合の洗浄力（かけおき洗浄力）を高めるために用いられる。
「糖アルコール」とは、糖のアルデヒド基及びケトン基を還元してアルコール基とした多価アルコールのことである。
（Ｄ）成分としては、例えば、グリセリン、ソルビトール、エリスリトール、キシリトール、マンニトールなどが挙げられる。グリセリン、ジグリセリン、ポリグリセリン、ソルビトール、エリスリトール、キシリトール、Ｄ−ソルビトール、マンニトール、マルチトール、トレハロース等が挙げられる。これらの中でも、洗浄力がより向上する観点から、グリセリン、ソルビトールが好ましく、グリセリンが特に好ましい。
これらの（Ｄ）成分は１種単独で用いられてもよく、２種以上が組み合わされて用いられてもよい。
【００５５】
（Ｄ）成分の含有量は、液体洗浄剤組成物の総質量に対し、０．１質量％以上が好ましく、３質量％以上がより好ましく、５質量％以上がさらに好ましい。（Ｄ）成分の含有量が上記下限値以上であれば、洗浄力がより優れる。
（Ｄ）成分の含有量の上限は適宜設定できるが、液体洗浄剤組成物の総質量に対し、４０質量％以下が好ましく、２０質量％以下がより好ましく、１５質量％以下がさらに好ましい。（Ｄ）成分の含有量が上記上限値以下であれば、汚れの拡がり防止性及び使用性がより優れる。
【００５６】
（Ｄ）成分に対する（Ａ）成分の質量比（以下、「（Ａ）／（Ｄ）」ともいう。）は、０．１〜２０が好ましく、０．１〜１０がより好ましく、０．３〜５がさらに好ましく、０．５〜３が特に好ましい。（Ａ）／（Ｄ）が上記下限以上であれば、液外観安定性がより優れる。（Ａ）／（Ｄ）が上記上限値以下であれば、洗浄力がより優れる。
【００５７】
＜水＞
液体洗浄剤組成物は、水を含むことができる。
水の含有量は、液体洗浄剤組成物の総質量に対し、３０質量％以上が好ましく、５０質量％以上がより好ましい。水の含有量が上記下限値以上であれば、使用性、洗浄時の泡立ち防止性、液安定性がより優れる。加えて、液体洗浄剤組成物を調製しやすくなる。
液体洗浄剤組成物の総質量に対して、水の含有量は９０質量％以下が好ましく、８５質量％以下がより好ましい。
【００５８】
＜他の任意成分＞
液体洗浄剤組成物は、上記（Ａ）〜（Ｄ）成分及び水以外に、液体洗浄剤の分野で公知の成分を任意成分として含むことができる。
任意成分としては、例えば、（Ｃ）成分以外の有機酸、（Ｄ）成分以外の有機溶剤（エタノール等）、金属イオン捕捉剤（キレート剤）、酵素、アルカリ剤、ｐＨ調整剤、酸化防止剤、防腐剤、風合い向上剤、移染防止剤、再汚染防止剤、パール剤、ソイルリリース剤、ハイドロトロープ剤、着香剤、着色剤、乳濁化剤、蛍光剤、エキス等が挙げられる。
【００５９】
ｐＨ調整剤としては、塩酸、硫酸、リン酸等の無機酸、水酸化ナトリウム、水酸化カリウム、アルカノールアミン（例えばモノエタノールアミン、ジエタノールアミン、トリエタノールアミン等）、アンモニア等が挙げられる。これらの中でも、液安定性の観点から、硫酸、水酸化ナトリウム、水酸化カリウム、アルカノールアミンが好ましく、外観安定性の点から、モノエタノールアミンが特に好ましい。
【００６０】
＜ｐＨ＞
液体洗浄剤組成物の２５℃におけるｐＨは、４〜１０が好ましく、５〜９がより好ましく、６〜８がさらに好ましく、６超８以下が特に好ましい。ｐＨが上記範囲内であれば、液安定性に優れる。また、塗布放置時の繊維製品への影響を防止しやすい。
【００６１】
＜粘度＞
液体洗浄剤組成物の２５℃における粘度は、１〜１００ｍＰａ・ｓが好ましく、３〜５０ｍＰａ・ｓがより好ましく、３〜３０ｍＰａ・ｓがさらに好ましく、５〜２５ｍＰａ・ｓが特に好ましい。粘度が上記範囲内であれば、吐出性に優れる。また、粘度が上記下限値以上であれば、かけおき洗浄力がより優れ、上記上限値以下であれば、外観安定性と吐出液の合一抑制効果がより優れる。
粘度は、Ｂ型（ブルックフィールド型）粘度計を用いて測定される値である。
液体洗浄剤組成物の粘度は、（Ｃ）成分、２Ｈ０８、エタノール等の含有量により調整できる。
【００６２】
（容器）
容器としては、洗剤洗浄剤組成物を収容できる容器が挙げられ、具体的にはスクイズ容器、トリガー容器、ポンプ容器、詰め替え容器（パウチ）等が挙げられるが、スクイズ容器が好ましい。
容器から液体洗浄剤組成物を吐出するときの形態は、例えば、線状（例えばシャワー状）や液滴状であってよいが、線状が好ましい。また、液体洗浄剤組成物が線状の液体として吐出される場合、連続的に吐出されてもよく、間欠状に吐出されてもよい。
【００６３】
容器について、図１〜図７を参照し、実施形態を示して説明する。
なお、本実施形態に係る容器１はスクイズ容器であるが、本発明はこれに限定されるものではなく、本発明の技術的思想の範囲内で任意に変更可能である。また、以下の図面においては、各構成をわかりやすくするために、実際の構造と各構造における縮尺や数等を異ならせている。
図１に示すように、容器１は、スクイズ（圧搾、押圧）により変形可能な容器本体３と、容器本体３の口部１０に装着されたキャップ５とを備える。
【００６４】
＜キャップ＞
図２〜図３に示すように、キャップ５は、有蓋筒状のキャップ本体５０と、蓋部６０と、キャップ本体５０と蓋部６０とを開閉自在に一体に連設する所謂３点ヒンジからなるヒンジ部７０とを備えている。
以下、キャップ本体５０の軸線を軸線Ｊという。軸線Ｊは、図２に示すように、キャップ本体５０（蓋部６０とヒンジ部７０は除く）において「口部１０と接する側」の外縁の最大の長さの線分ｌ１の中心位置Ｐ１と、キャップ本体５０（蓋部６０とヒンジ部７０は除く）において「口部１０と接する側とは反対側」の外縁の最大の長さの線分ｌ２の中心位置Ｐ２を通る直線である。
なお、本実施形態では、図１に示すように、軸線Ｊが容器本体３の軸線と一致しているが、軸線Ｊが容器本体３の軸線と一致していなくてもよい。
【００６５】
キャップ５は、例えば、キャップ本体５０と、蓋部６０と、ヒンジ部７０とが合成樹脂により一体に成形（例えば、射出成形）された成形体である。それぞれ別に成形して、後で一体に組み立てたものであってもよい。
合成樹脂としては、特に制限はないが、例えば、ポリエチレン、ポリプロピレン等のポリオレフィン、ポリエチレンテレフタレート等のポリエステル、これらの２種以上の混合物等が挙げられる。
【００６６】
以下の説明では、軸線Ｊに沿った方向をＺ方向とし、軸線Ｊに対してヒンジ部７０および蓋部６０が設けられている方向をＸ方向とし、Ｚ方向及びＸ方向に直交する方向をＹ方向として適宜説明する。
また、以下の説明においては、＋Ｚ側を上方、−Ｚ側を下方として説明するが、これは、説明の便宜のために上下方向を定義したに過ぎず、容器１の使用時の向きを限定しない。
【００６７】
キャップ本体５０は、上板部５３と、上板部５３の下面から下方に突出する内側筒部５２と、上板部５３の周縁、すなわち上板部５３における内側筒部５２よりも外側から下方に延出する外側筒部５１と、を有している。外側筒部５１の内周面には、容器本体３の口部１０と螺合するネジ部５１ａが形成されている。上板部５３の周縁には、蓋部６０を嵌合により閉止するための嵌合段部５４が設けられている。
【００６８】
キャップ本体５０には、上板部５３が囲うように吐出部５５が設けられている。
吐出部５５は、軸線Ｊ方向に延びる流路を有する凸形状であり、軸線Ｊと同軸に形成されている。
吐出部５５の基部は、上板部５３の上面よりも下がった位置（−Ｚ側）に配置されており、内側筒部５２と連結している。
図２、図５では、吐出部５５は、先端部５７と、先端部５７の周縁から後端側（−Ｚ側）に延出する筒部５８と、を有している。なお、左記実施形態（図２、図５）に限らず、先端部５７の周縁から後端側（−Ｚ側）に延出する筒部５８を有せずに、先端部５７と上板部５３が連結する形態であってもよい。
先端部５７については後で詳しく説明する。
筒部５８の後端側（−Ｚ側）の開口部は、内側筒部５２によって周囲を囲まれている。
【００６９】
内側筒部５２の開口部には、下記に述べる軟質樹脂からなる弁体（図示せず）が設けられていてもよい。
この弁体は、容器本体３内の圧力変動に応じて開閉するスリットが形成されることで、容器本体３内の圧力変動により開閉する。具体的には、容器本体３をスクイズしたときに開となり、スクイズしていないときに閉となる。
この弁体を備えることで、吐出部５５からの意図しない液漏れを抑制できる。
【００７０】
蓋部６０は、天面部６１と、栓部６２と、を有している。栓部６２は、蓋部６０が上板部５３を閉止したときに吐出部５５と対向する位置に設けられている。栓部６２は、蓋部６０が上板部５３を閉止したときに吐出部５５の外周面と嵌合して閉栓し、蓋部６０が上板部５３を開放したときに吐出部５５を開栓する。
【００７１】
先端部５７は、筒部５８の先端側（＋Ｚ側）の開口部を閉塞する端壁部５７ａと、端壁部５７ａの上面から先端側に突出する突起部５７ｂと、を有している。
図５に示すように、断面視において内周面８１ｃの「内周側」の略直線の曲がり方向の変化が開始する位置Ｎ１と、内周面８１ｃの「外周側」の略直線の曲がり方向の変化が開始する位置Ｎ２を結んだ直線Ｎを含む平面を境界として、この平面から吐出方向側（＋Ｚ側）に存在する部位を突起部５７ｂとする。
端壁部５７ａには、容器本体３の内部（容器１の内部）と連通する複数の流路８０が点在して形成されている。
【００７２】
複数の流路８０は、端壁部５７ａをＺ方向に貫通し、＋Ｚ側が先細る４つの流路８１〜８４によって構成されている。
流路８１〜８４は、平面視において、吐出部５５の軸線Ｊ周りに等間隔に、円形状に配置されている。換言すれば、流路８１〜８４は、平面視において、四角形の頂点位置に配置されている。各流路８１〜８４は概ね軸線Ｊの＋Ｘ側、＋Ｙ側、−Ｘ側、−Ｙ側に配置されている。以下の説明においては、各流路８１〜８４の軸線を軸線Ｚ１〜Ｚ４として示す。
【００７３】
流路８１は、図４〜５に示すように、一端に形成された流入孔８１ａと、他端に形成された吐出孔８１ｂとを有し、容器本体３を例えば傾斜させたときやスクイズしたときに、容器本体３に収容された液体洗浄剤組成物が流入孔８１ａから流入し、流路８１の軸線Ｚ１に沿って流通し、吐出孔８１ｂから線状に吐出されるようになっている。
ここで軸線Ｚ１は、図５に示すように、断面視において、流路８１に存在する「流入孔８１ａの孔径の中心位置」と、「吐出孔８１ｂの孔径の中心位置」を通る直線とする。なお、中心位置が明確化できない歪な孔の形状の場合は、その孔の平面視における重心位置に相当する位置を中心位置と定義する。
【００７４】
流路８１の軸線Ｚ１は、図５に示すように、流入孔８１ａから吐出孔８１ｂに向かうに従い、容器１の外側に向かって傾斜している。つまり軸線Ｚ１は、流入孔８１ａから吐出孔８１ｂに向かうに従い吐出部５５の軸線Ｊから遠ざかるように、軸線Ｊに対して傾斜している。
より具体的に説明すると、流路８１の軸線Ｚ１は、図４における平面視で、吐出孔８１ｂの中心が流入孔８１ａの中心よりも＋Ｘ側に位置するように傾斜している。
また、流入孔８１ａの周縁と吐出孔８１ｂの周縁とを連絡する内周面８１ｃの少なくとも一部は、軸線Ｊに対して＋Ｘ側に傾斜している。本実施形態では、軸線Ｊ及び軸線Ｚ１を含む断面において、内周面８１ｃの内周側（軸線Ｚ１に対して−Ｘ側）が、外周側（軸線Ｚ１に対して＋Ｘ側）に比べて大きく傾斜している。
【００７５】
流路８１の、軸線Ｊと直交する断面輪郭（図４に示す吐出孔８１ｂの形状及び吐出孔８１ｂの形状を含む。）は、円形とされている。
ただし、流路８１の断面輪郭は円形に限定されない。流路８１の断面輪郭は、円形、楕円形又は多角形（例えば三角形〜八角形）が好ましく、円形又は楕円形がより好ましい。これらの２種以上を組み合わせてもよい。流入孔８１ａの形状と吐出孔８１ｂの形状とが異なっていてもよい。
【００７６】
流入孔８１ａの孔径と吐出孔８１ｂの孔径は同一でもよく異なってもよいが、「流入孔８１ａの孔径」≧「吐出孔８１ｂの孔径」であることが好ましく、「流入孔８１ａの孔径」＞「吐出孔８１ｂの孔径」であることがより好ましい。すなわち、吐出孔８１ｂの孔径（ｍｍ）／流入孔８１ａの孔径（ｍｍ）で表される比は、１以下であることが好ましく、１未満であることがより好ましい。この比が小さい方が、液体洗浄剤組成物を勢いよく吐出できる。
吐出孔８１ｂの孔径（ｍｍ）／流入孔８１ａの孔径（ｍｍ）で表される比の下限は特に限定されないが、例えば０．１５以上である。
流入孔８１ａ、吐出孔８１ｂそれぞれの孔径は、最大径（円形の場合の直径、楕円形の場合の長径、多角形の場合の外接円の直径等）である。
【００７７】
流入孔８１ａの孔径は、吐出部５５の先端面の面積、複数の流路８０を構成する流路の数等を勘案し、適宜選定できるが、本実施形態では、０．６〜２．０ｍｍが好ましく、１．０〜２．０ｍｍがより好ましく、１．２〜２．０ｍｍがさらに好ましい。
流入孔８１ａが楕円形の場合、短径（ｍｍ）／長径（ｍｍ）で表される比は、０．５以上１未満が好ましく、０．７以上１未満がより好ましく、０．９以上１未満が特に好ましい。
【００７８】
吐出孔８１ｂの孔径は、吐出部５５の先端面の面積、複数の流路８０を構成する流路の数等を勘案し、適宜選定できるが、０．３〜２．０ｍｍが好ましく、０．４〜１．５ｍｍがより好ましく、０．５〜１．０ｍｍがさらに好ましい。
吐出孔８１ｂが楕円形の場合、短径（ｍｍ）／長径（ｍｍ）で表される比は、０．５以上１未満が好ましく、０．７以上１未満がより好ましく、０．９以上１未満が特に好ましい。
【００７９】
「流入孔８１ａの孔径」＞「吐出孔８１ｂの孔径」である場合、平面視において、吐出孔８１ｂ全体が流入孔８１ａの周縁の内側に位置することが好ましい。これにより、吐出時の直線性がより優れる。
【００８０】
軸線Ｊと直交する方向（以下、「ＸＹ方向」ともいう。）に対する軸線Ｚ１の傾斜角度θ（図５参照）は、０°超、９０°未満が好ましく、１５°以上、９０°未満がより好ましく、４５°以上、９０°未満がさらに好ましく、７５°以上、９０°未満が特に好ましい。
断面視において、軸線Ｊと直交する方向に対する内周面８１ｃの「内周側」の傾斜角度θ１（図５参照）は０°超、９０°未満が好ましく、１５°以上、９０°未満がより好ましく、３０°以上、７５°以下がさらに好ましく、４５°以上、６０°以下が特に好ましい。
断面視において、軸線Ｊと直交する方向に対する内周面８１ｃの「外周側」の傾斜角度θ２（図５参照）は０°超、９０°未満が好ましく、１５°以上、９０°未満がより好ましく、４５°以上、９０°未満がさらに好ましく、７５°以上、９０°未満が特に好ましい。
他の内周面における内周側の傾斜角度と外周側の傾斜角度も同じである。
【００８１】
流路８１の長さ、つまり流入孔８１ａから吐出孔８１ｂまでの軸線Ｚ１の長さは、０．７〜１．７ｍｍが好ましく、０．９〜１．５ｍｍがより好ましい。
【００８２】
図４において、流路８２は、平面視で吐出孔８２ｂの中心が流入孔の中心よりも＋Ｙ側に開口するように軸線Ｚ２が傾斜していること以外は、流路８１と同様である。
流路８３は、平面視で吐出孔８３ｂの中心が流入孔の中心よりも−Ｘ側に開口するように軸線Ｚ３が傾斜していること以外は、流路８１と同様である。
流路８４は、平面視で吐出孔８４ｂの中心が流入孔の中心よりも−Ｙ側に開口するように軸線Ｚ４が傾斜していること以外は、流路８１と同様である。
各流路８１〜８４の断面形状、流入孔及び吐出孔の孔径、軸線Ｚ１〜Ｚ４の傾斜角度θ、長さ等は、同一でもよく異なってもよい。
【００８３】
各流路８１〜８４の吐出孔８１ｂ〜８４ｂは、図４に示すように、軸線Ｊ周りに等間隔に、円形状に配置されている。
各流路８１〜８４の吐出孔８１ｂ〜８４ｂの配置は、吐出孔の数や孔径等によって変えることができ、円形状に限定されない。
【００８４】
図４に示すように、平面視において、各流路８１〜８４の吐出孔８１ｂ〜８４ｂの外縁を結ぶ環状線Ｍで囲われた面積は、１〜１００ｍｍ２が好ましい。
平面視において、各流路８１〜８４の吐出孔８１ｂ〜８４ｂの外縁を結ぶ環状線Ｍで囲われた面積に対する、各流路８１〜８４の吐出孔の合計の面積の割合は、１〜４０％が好ましく、２〜２０％がより好ましく、２〜１０％がさらに好ましい。この割合が上記上限値以下であれば、吐出液の合一をより抑制でき、吐出液をシャワー状に吐出しやすい。
【００８５】
図４に示すように、各吐出孔８１ｂ〜８４ｂ間の距離、すなわち１つの吐出孔の周縁から、この吐出孔に隣接する他の吐出孔の周縁までの最短距離Ｌ１は、吐出液の合一を抑制する点から、１ｍｍ以上が好ましく、１．５ｍｍ以上がより好ましい。
【００８６】
吐出部５５において複数の流路８０（流路８１〜８４）は、後述する試験方法により求められる噴射角度（図１３のθ５）、つまり複数の流路８０それぞれの吐出孔８１ｂ〜８４ｂからの吐出液の吐出方向と軸線Ｊとがなす角度の最大値が、１°超となるように設けられていることが好ましい。噴射角度は、１°超〜２０°が好ましく、２°〜１０°がより好ましく、３°〜７°がさらに好ましい。噴射角度が１°超であれば、吐出した吐出液を広範囲に亘って繊維製品へ塗布しやすく、使用性に優れる。噴射角度が２０°以下であれば、吐出した吐出液をムラなく繊維製品へ塗布しやすい。
【００８７】
図５に示すように、突起部５７ｂは、端壁部５７ａの上面を底面とする略円錐台状に形成されている。より詳細に説明すると、端壁部５７ａの上面（直線Ｎを含む平面）を底面とし、直線Ｎより吐出方向側（＋Ｚ側）の直線Ｎ’（詳細は後述する。）を含む面を天面とする略円錐台に、平面視（図４）で流路８１〜８４それぞれの吐出孔８１ｂ〜８４ｂに対応する位置に、吐出孔８１ｂ〜８４ｂが露出するように、貫通孔５９ａ〜５９ｄを設けた形状となっている。
貫通孔５９ａ〜５９ｄはそれぞれ、流路８１〜８４の軸線Ｚ１〜Ｚ４周りに形成されている。図５において、「貫通孔５９ａの＋Ｚ側の開口」は、吐出孔８１ｂ〜８４ｂよりも大径とされている。換言すれば、突起部５７ｂは、吐出孔８１ｂ〜８４ｂの周縁部から立ち上がり、流路８１〜８４の軸線Ｚ１〜Ｚ４を囲む面（貫通孔５９ａ〜５９ｄの内周面）を有する。貫通孔５９ａ〜５９ｄは、＋Ｚ側に向かって拡径しており、貫通孔５９ａ〜５９ｄの＋Ｚ側の開口は、−Ｚ側の開口よりも大径とされている。
このように、吐出孔８１ｂ〜８４ｂの周縁部の少なくとも一部に、吐出孔８１ｂ〜８４ｂを含む平面から突出する突起部５７ｂを有することで、吐出液の吐出後に、吐出孔８１ｂ〜８４ｂの外側に付着した液が吐出孔８１ｂ〜８４ｂの内側に戻りやすくなり、吐出後の液溜まりを抑制でき、吐出液の合一をより抑制できる。
なお、各流路８１〜８４の吐出孔８１ｂ〜８４ｂは、吐出部５５の先端側から各流路８１〜８４を観察したときに、最も小径の部分である。貫通孔５９ａ〜５９ｄは、吐出孔８１ｂ〜８４ｂよりも大径であるため、流路８１〜８４には該当しない。
【００８８】
軸線Ｊ方向における突起部５７ｂの高さＬ２は、０．９〜１．９ｍｍが好ましく、１．１〜１．７ｍｍがより好ましい。
軸線Ｊ方向における突起部５７ｂの高さＬ２は、直線Ｎと直線Ｎ’との間の距離である。
直線Ｎは、前記したとおり、断面視において内周面８１ｃの「内周側」の略直線の曲がり方向の変化が開始する位置Ｎ１と、内周面８１ｃの「外周側」の略直線の曲がり方向の変化が開始する位置Ｎ２を結んだ直線である。
直線Ｎ’は、直線Ｎと平行な直線であって、突起部５７ｂの吐出方向側の最も高い位置Ｑ（最も＋Ｚ側の位置）での接線である（図５参照）。
【００８９】
図５に示すように、断面視において、軸線Ｊと直交する方向に対する貫通孔５９ａの内周面の傾斜角度θ３は、０°超、９０°未満が好ましく、１５以上、７５°以下がより好ましく、３０°以上、６０°以下がさらに好ましい。
断面視において、軸線Ｊと直交する方向に対する貫通孔５９ａの外周面の傾斜角度θ４の好ましい範囲は、θ３の好ましい範囲と同じである。
他の貫通孔の内周側の傾斜角度と外周側の傾斜角度も同じである。
【００９０】
先端部５７には、流路８１〜８４それぞれの吐出孔８１ｂ〜８４ｂと突起部５７ｂとの間に、端壁部５７ａの上面、すなわち流路８１〜８４の吐出孔８１ｂ〜８４ｂを含む平面と面一に、平坦部９１〜９４が形成されている。平坦部９１〜９４はそれぞれ、吐出孔８１ｂ〜８４ｂを囲む環状に形成されている。
吐出孔８１ｂ〜８４ｂと突起部５７ｂとの間に平坦部９１〜９４を有することで、吐出孔８１ｂ〜８４ｂそれぞれの周縁と突起部５７ｂとが離間するため、吐出液が突起部５７ｂの表面との間の相互作用により意図しない方向に吐出されることを抑制できる。これにより、吐出液の合一をより抑制できる。また、吐出液を狙った方向に吐出させやすい。
【００９１】
平坦部９１〜９４の長さＬ３、すなわち吐出孔８１ｂ〜８４ｂの周縁から突起部５７ｂの外縁までの最短距離は、０．１５〜０．３ｍｍが好ましく、０．１５〜０．２５ｍｍがより好ましく、０．１５〜０．２ｍｍがさらに好ましい。平坦部９１〜９４の長さＬ３が前記範囲内であれば、吐出液が意図しない方向に吐出されることをより抑制できる。
【００９２】
先端部５７において、吐出孔８１ｂ〜８４ｂの周縁には、消泡剤又は撥水剤が存在していることが好ましい。これにより、吐出孔８１ｂ〜８４ｂが消泡機能又は撥水機能を有する。
吐出孔８１ｂ〜８４ｂの周縁のほか、その近傍（流路８１〜８４の内周面、突起部５７ｂの表面、平坦部９１〜９４の表面等）に消泡剤又は撥水剤が存在していてもよい。
【００９３】
消泡剤としては、前記した（Ｂ）成分と同様のものが挙げられる。
撥水剤としては、例えばフッ素化合物、シリコーン樹脂が挙げられる。
【００９４】
吐出孔８１ｂ〜８４ｂの周縁に消泡剤又は撥水剤が存在させる方法としては、例えば以下の方法が挙げられる。
（１）吐出孔８１ｂ〜８４ｂの周縁（及び必要に応じてその近傍）に消泡剤又は撥水剤を塗布し、消泡剤又は撥水剤の塗膜を形成する方法。
（２）吐出孔８１ｂ〜８４ｂの周縁（及び必要に応じてその近傍）に消泡剤又は撥水剤を吸着させる方法。
（３）キャップ５を、消泡剤又は撥水剤を添加した合成樹脂で成形する方法。
上記のうち、簡便さの点では、（１）の方法が好ましい。
【００９５】
（１）の方法において、消泡剤又は撥水剤の塗布方法としては、特に制限はなく、公知の方法を用いることができる。
（３）の方法において、消泡剤又は撥水剤の添加量は、例えば、合成樹脂の総質量に対し、０．０１〜１０質量％が好ましく、０．０５〜５質量％がより好ましく、０．１〜１質量％がさらに好ましい。
消泡剤又は撥水剤を添加した合成樹脂は、射出成形等の公知の成形方法により成形できる。
【００９６】
＜容器本体＞
図１、図６〜図７に示されるように、容器本体３は、正立状態で、上から順に口部１０と、肩部２０と、胴部３０と、底部４０とが軸線Ｊに沿って配置されたボトル状に形成されている。
【００９７】
容器本体３は、口部１０と、肩部２０と、胴部３０と、底部４０とが合成樹脂により所定厚さで一体に成形（例えば、ブロー成形）されたものである。
容器本体３は、例えば、ポリエチレン、ポリプロピレン等のポリオレフィン、ポリエチレンテレフタレート等のポリエステルやこれらを混合した合成樹脂を原料樹脂とし、この原料樹脂をブロー成形又は射出成形することにより製造される。
【００９８】
口部１０は、上端に形成された円筒状のものであり、容器本体３内部の液体洗浄剤組成物を注出するものである。円筒状とは、平面視において真円形の筒のみならず、平面視楕円形を含む概念である。
口部１０は、キャップ５が装着される部材である。例えば、キャップ５が口部１０に螺合するものである場合には、口部１０の外周にネジ部が形成される。
【００９９】
肩部２０は、胴部３０の上端から上方に向けて漸次先細る。肩部２０の上端に上記口部１０が設けられている。
胴部３０は、軸線Ｊと直交する断面輪郭が略矩形（長方形）状で、長辺方向に沿って配置された側壁部３１、３２と、短辺方向に沿って配置された側壁部３３、３４とを有する角筒状に形成されている。なお、胴部３０の断面輪郭としては、正方形状であってもよい。
【０１００】
＜容器入り液体洗浄剤製品の製造方法＞
本製品は、例えば、液体洗浄剤組成物を製造し、得られた液体洗浄剤組成物を容器本体３に収容し、容器本体３の口部１０にキャップ５を装着することにより製造できる。
【０１０１】
液体洗浄剤組成物は、公知の液体洗浄剤組成物の製造方法に準じて製造できる。例えば、水の一部に、ｐＨ調整剤を除く各成分を加えて混合し、必要に応じてｐＨ調整剤を添加してｐＨを調整した後、水の残部を加えて全体量を１００質量％とすることにより、液体洗浄剤組成物を製造できる。
【０１０２】
＜容器入り液体洗浄剤製品の動作＞
次に、本製品から液体洗浄剤組成物を吐出させる動作について説明する。
キャップ本体５０から蓋部６０を開放し吐出部５５を開栓した後に、吐出部５５を繊維製品に向けて容器本体３を傾斜し、必要に応じてスクイズする。容器本体３を傾斜すると、容器本体３に収容された液体洗浄剤組成物が自重で、流路８１〜８４に流入し、吐出孔８１ｂ〜８４ｂから吐出される。さらに容器本体３をスクイズ（押圧）すると、容器本体３が変形し、容器本体３の内部空間の容積が減少し、流路８１〜８４に流入する液体洗浄剤組成物の量が増え、吐出孔８１ｂ〜８４ｂからの吐出量が増える。このとき、使用者の好みで、容器本体３に加える力を増減することによって、容器から吐出される液体洗浄剤組成物の形態や液量を調整できる。
【０１０３】
本製品にあっては、流路８１〜８４を、吐出孔８１ｂ〜８４ｂから吐出された液体洗浄剤組成物が吐出部５５の軸線Ｊから遠ざかるように軸線Ｚ１〜Ｚ４が傾斜（すなわち、容器１の外側に傾斜）したものとした。これにより、上記のように容器本体３を傾斜またはスクイズしたときに、液体洗浄剤組成物が吐出される。
また、本製品にあっては、流路８１〜８４の軸線Ｚ１〜Ｚ４が上記のように傾斜していることに加えて、液体洗浄剤組成物を吐出孔８１ｂ〜８４ｂから吐出するときに吐出孔８１ｂ〜８４ｂが消泡機能又は撥水機能を有するように構成した。これにより、液体洗浄剤組成物を吐出したときに、吐出孔８１ｂ〜８４ｂの近傍に泡膜や液溜りが発生することを抑制できる。そのため、液体洗浄剤組成物を再び吐出したときに、液体洗浄剤組成物の吐出方向が泡膜や液溜りによって変化して合一することを抑制できる。したがって、衣類、カバー類等の繊維製品の特定の領域に広範囲に亘ってムラなく適量の液体洗浄剤組成物を塗布でき、使用性に優れる。
【０１０４】
また、本製品にあっては、容器１を、吐出孔８１ｂ〜８４ｂの周縁部の少なくとも一部に、吐出孔８１ｂ〜８４ｂを含む平面から突出する突起部５７ｂを有するものとした。これにより、液体洗浄剤組成物の吐出後に、吐出孔８１ｂ〜８４ｂの外側に付着した液体洗浄剤組成物が吐出孔８１ｂ〜８４ｂの内側に戻りやすくなり、吐出後の液溜まりの発生をより効果的に抑制できる。
【０１０５】
また、本製品にあっては、容器１を、吐出孔８１ｂ〜８４ｂと突起部５７ｂの間に、吐出孔８１ｂ〜８４ｂを含む平面と面一に形成された平坦部９１〜９４を有するものとした。これにより、吐出孔８１ｂ〜８４ｂそれぞれの周縁と突起部５７ｂとが離間するため、吐出液が突起部５７ｂの表面との間の相互作用により意図しない方向に吐出されることを抑制できる。これにより、吐出液の合一をより効果的に抑制できる。また、吐出液を狙った方向に吐出させやすい。
【０１０６】
本製品は、容器１に収容された液体洗浄剤組成物（以下、「液体洗浄剤（α）」ともいう。）を繊維製品（被洗物）の汚れを含む領域に塗布し、放置した後に洗濯処理を行う方法に好適に用いることができる。
液体洗浄剤（α）を繊維製品に塗布することにより、繊維製品の汚れ部分に液体洗浄剤（α）を含浸させ、汚れと液体洗浄剤（α）とを接触させる。
液体洗浄剤（α）を繊維製品に塗布する際は、液体洗浄剤（α）の濃度を保った状態で汚れと接触させることが好ましく、そのために、繊維製品を水に浸漬させることなく、汚れに液体洗浄剤（α）を塗布する。
【０１０７】
液体洗浄剤（α）を繊維製品に塗布するには、例えば、本製品の吐出部５５を繊維製品の汚れ部分の領域に向け、吐出孔８１ｂ〜８４ｂを繊維製品から離した状態（すなわち、吐出孔８１ｂ〜８４ｂと繊維製品とが非接触の状態）で容器本体３を傾斜またはスクイズすればよい。このとき、汚れ部分の領域に応じて、吐出孔８１ｂ〜８４ｂと繊維製品との距離やスクイズの力を調節することができる。
【０１０８】
液体洗浄剤（α）の塗布量は、汚れの部分の全体に液体洗浄剤（α）が浸透する量以上とすることが好ましい。また、液体洗浄剤（α）の塗布量は、液体洗浄剤（α）の濃度が繊維製品に対して１００％ｏｗｆ（繊維製品の単位質量当たりに塗布した液体洗浄剤（α）の質量）以上となる量が好ましく、より好ましくは２００％ｏｗｆ以上であり、さらに好ましくは３００％ｏｗｆ以上である。
【０１０９】
液体洗浄剤（α）を繊維製品に塗布した後、洗濯するまでの放置時間は３０分以上が好ましく、１時間以上がより好ましく、３時間以上がさらに好ましく、６時間以上が特に好ましい。３０分以上放置することにより、繊維製品に塗布された液体洗浄剤（α）中の水分が蒸発し、繊維製品上で液体洗浄剤（α）が濃縮される。その結果、汚れに対する相溶性が高まり、優れた洗浄力が発揮される。
特に、（Ａ）成分がポリオキシアルキレンアルキルエーテル硫酸エステル、ポリオキシアルキレンアルケニルエーテル硫酸エステル及びそれらの塩からなる群から選択される少なくとも１種を含む場合、液体洗浄剤（α）は汚れの拡がり防止性に優れるため、従来よりも放置時間を長くできるという利点を有する。
放置時間は、例えば２４時間以上でもよい。
放置後の液体洗浄剤（α）中の水の含有量は、液体洗浄剤（α）の総質量に対して３０質量％以下が好ましく、２０質量％以下がより好ましく、１０質量％以下がさらに好ましい。なお、放置前後の繊維製品の重さを測定し、その差（減少量）を蒸発した水分量とみなして、放置後の液体洗浄剤（α）中の水の含有量を求めることができる。
【０１１０】
塗布後の放置時の環境については特に制限されないが、温度は５〜４０℃が好ましく、１０〜３５℃がより好ましく、１５〜３０℃がさらに好ましい。また、湿度は９０％以下が好ましく、７０％以下がより好ましく、５０％以下がより好ましい。
放置場所についても特に制限されず、例えば、洗濯槽、洗濯カゴ、洗面器など、いずれの場所でもよいが、洗濯カゴのような湿度がこもらない場所がより好ましい。
【０１１１】
洗濯処理の方法は、液体洗浄剤（α）が塗布された繊維製品を、水又は新たな洗浄剤（β）を含む洗浄液と接触させて、繊維製品に付着している汚れと液体洗浄剤（α）を水中に移行させて除去する方法であればよく、特に限定されない。通常の洗濯処理は、洗浄処理とすすぎ処理を含む。すすぎ処理は、洗浄処理後に、繊維製品に残留している液体洗浄剤（α）を取り除くための処理である。すすぎ処理後は乾燥等を行い、繊維製品から水分を除去する。
洗浄処理では、水又は新たな洗浄剤（β）を含む洗浄液中で、好ましくは繊維製品に外力を加えて汚れを洗浄液中に移行させた後、脱水等を行って、繊維製品を洗浄液から分離する。
すすぎ処理では、洗浄処理を行った後に、液体洗浄剤（α）及び洗浄剤（β）を含まないすすぎ水中で、好ましくは繊維製品に外力を加えて、繊維製品に残留している液体洗浄剤（α）をすすぎ水中に移行させた後、脱水等を行って、繊維製品をすすぎ水から分離する。
洗浄処理は通常１回行う。すすぎ処理は１回でもよく、２回以上繰り返してもよい。すすぎ処理が１回ですむと、すすぎ水の使用を節約でき、洗濯時間も短縮できるため好ましい。
繊維製品に外力を加える方法は、例えば洗濯機により機械力を加える方法でもよく、もみ洗い、押し洗い、たたき洗い、つかみ洗い、つまみ洗い、又は振り洗い等の手洗いによる方法でもよい。
【０１１２】
洗浄処理の開始時に、繊維製品に接触させるのは水のみでもよく、水と新たな洗浄剤（β）とを含む洗浄液でもよい。水のみを接触させると、繊維製品に塗布された液体洗浄剤（α）が水中に分散されて洗浄液となる。水と洗浄剤（β）とを含む洗浄液を接触させると、繊維製品に塗布された液体洗浄剤（α）が洗浄液中に分散され、洗浄液中の洗浄剤成分の濃度が増す。
洗浄剤（β）は、液体でもよいし、粉末でもよい。洗浄剤（β）としては特に制限されず、公知の繊維製品用の洗浄剤を用いることができる。また、洗浄剤（β）として液体洗浄剤（α）を用いてもよいし、市販品を用いてもよい。特に、洗浄剤（β）としてはポリオキシエチレン脂肪酸メチルエステル（ＭＥＥ）及びポリオキシエチレンアルキルエーテル（ＡＥ）を含む洗浄剤が好ましい。
洗浄剤（β）の市販品としては、例えば、ライオン社製の「トップスーパーＮＡＮＯＸ」、「トップクリアリキッド」；花王社製の「アタックＮＥＯ」、「アタック高浸透バイオジェル」、「アタックＺＥＲＯ」；プロクター・アンド・ギャンブル社製の「アリエールイオンパワージェル」、「アリエールパワージェルボール」等が挙げられる。
【０１１３】
洗濯処理における繊維製品は、液体洗浄剤（α）が塗布された繊維製品だけでなく、液体洗浄剤（α）が塗布されていない他の繊維製品を含んでよい。
洗浄処理において使用される洗浄剤の量は、繊維製品の合計質量（布量）／洗浄剤の合計質量（液体洗浄剤（α）及び洗浄剤（β）の総質量）の比が、１０〜５００が好ましく、１０〜３００がより好ましく、１０〜１００がさらに好ましい。下限値以上であると長時間塗布した際のすすぎ性に優れ、上限値以下であると液体洗浄剤（α）が塗布されていない他の繊維製品の洗浄力により優れる。
洗浄剤（β）として液体洗浄剤（α）を用いる場合、洗浄処理において使用される液体洗浄剤（α）の全部を、繊維製品の汚れへの塗布に使用してもよく、一部を繊維製品の汚れに塗布し、残りを洗浄処理時に追加してもよい。
洗浄処理において使用される水量は、洗浄処理において使用される洗浄剤の量（液体洗浄剤（α）及び洗浄剤（β）の総質量）の５０倍以上が好ましく、５０〜１５００倍がより好ましく、５０〜１０００倍がさらに好ましい。下限値以上であるとすすぎ性がより優れる。上限値以下であると洗浄性能がより優れる。
【０１１４】
繊維製品としては、例えば衣料、布巾、シーツ、カーテン、枕カバー等が挙げられる。繊維製品の素材は特に限定されず、綿、絹、羊毛等の天然繊維、ポリエステル、ポリアミド等の化学繊維等のいずれでもよい。
【０１１５】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【０１１６】
例えば、上記実施形態では、吐出部５５の先端部５７に４つの流路８１〜８４を有する（４つの吐出孔８１ｂ〜８４ｂを有する）例を示したが、吐出部５５の先端部が有する流路の数は４つに限定されず、２以上であればよい。吐出部５５の先端部が有する流路の数は、２〜７が好ましく、２〜６がさらに好ましく、２〜５が特に好ましい。
【０１１７】
吐出孔の数が２つである場合、吐出孔の孔径は、０．８〜２．０ｍｍが好ましい。
吐出孔の数が３つである場合、吐出孔の孔径は、０．７〜２．０ｍｍが好ましい。
吐出孔の数が５つである場合、吐出孔の孔径は、０．６〜１．７ｍｍが好ましい。
吐出孔の数が６つである場合、吐出孔の孔径は、０．６〜１．６ｍｍが好ましい。
吐出孔の数が７つである場合、吐出孔の孔径は、０．６〜１．５ｍｍが好ましい。
【０１１８】
上記実施形態では、複数の流路の軸線が全て、流入孔から吐出孔に向かうに従い吐出部の外縁に向かって傾斜している例を示したが、複数の流路のうちの一部の流路を、軸線が傾斜していないものとしてもよい。
上記実施形態では、流路８１〜８４が平面視で同心円上に配置されている例を示したが、複数の流路は必ずしも同心円上に配置されていなくてもよい。例えば、流路８１〜８４よりも軸線Ｊ側に他の流路が配置されていてもよい。
繊維製品の特定の領域に広範囲に亘って液体洗浄剤組成物を吐出しやすい点で、複数の流路は、平面視で同心円上に配置されていることが好ましい。
【０１１９】
上記実施形態では、突起部５７ｂの形状が略円錐台状である例を示したが、突起部５７ｂの形状はこれに限定されない。例えば略円錐状、略多角錘台状（略三角錐台状〜略八角錐台状）、略多角錘状（略三角錐状〜略八角錐状）、球欠形状等としてもよい。
吐出孔８１ｂ〜８４ｂそれぞれを囲む突起部を一体的に形成した例を示したが、吐出孔８１ｂ〜８４ｂそれぞれを囲む突起部を個別に形成してもよい。
【０１２０】
上記実施形態では、吐出孔８１ｂ〜８４ｂの周縁部の全周にわたって突起部５７ｂが設けられている例を示したが、吐出孔８１ｂ〜８４ｂの周縁部の一部に突起部が設けられていてもよい。例えば、吐出孔８１ｂ〜８４ｂの周縁部のうち内周側のみに突起部が設けられていてもよく、外周側のみに突起部が設けられていてもよい。吐出液の合一抑制の点では、吐出孔８１ｂ〜８４ｂの周縁部の全周にわたって突起部が設けられていることが好ましい。
【０１２１】
上記実施形態では、吐出孔８１ｂ〜８４ｂの周縁部の全周にわたって平坦部９１〜９４が設けられている例を示したが、吐出孔８１ｂ〜８４ｂの周縁部の一部に平坦部が設けられていてもよい。例えば、吐出孔８１ｂ〜８４ｂの周縁部のうち内周側のみに平坦部が設けられていてもよく、外周側のみに平坦部が設けられていてもよい。吐出時の直進性の点では、吐出孔８１ｂ〜８４ｂの周縁部の全周にわたって平坦部が設けられていることが好ましい。
【０１２２】
各流路８１〜８４が端壁部５７ａをＺ方向に貫通している例を示したが、複数の流路の一部又は全部を、端壁部５７ａをＺ方向に貫通していないものとしてもよい。
例えば、端壁部５７ａ内に、複数の流路の一部又は全部の流入孔を接続する合流流路と、一端が端壁部５７ａの下面に開口し、他端が前記合流流路に接続する流入流路を設けて、流入流路、合流流路を経て複数の流路に液体洗浄剤組成物が流入するようにしてもよい。ただし、複数の流路の吐出孔はいずれも端壁部５７ａの上面に開口するものとする。
合流流路、流入流路それぞれの数は、１つでもよく複数でもよいが、通常、複数の流路の数よりも少ない。
【０１２３】
図９〜１１にそれぞれ、端壁部５７ａにおける複数の流路の配置の一例を示す。図９〜１１中、上側が端壁部５７ａの上面側（＋Ｚ側）、下側が端壁部５７ａの下面側（−Ｚ側）である。
図９の例では、端壁部５７ａは、４つの流路を有し、４つの流路がそれぞれ端壁部５７ａをＺ方向に貫通している。端壁部５７ａの下面の開口（流入孔）の数は上面の開口（吐出孔）の数と同じである。
図１０の例では、端壁部５７ａは、４つの流路と、４つの流路の流入孔を接続する合流流路と、一端が端壁部５７ａの下面に開口し、他端が合流流路に接続する２つの流入流路とを有する。これらの流路によって分岐流路が形成されている。端壁部５７ａの下面の開口の数は２つであり、上面の開口の数よりも少ない。
図１１の例では、端壁部５７ａは、５つの流路と、５つの流路の流入孔を接続する合流流路と、一端が端壁部５７ａの下面に開口し、他端が合流流路に接続する流入流路とを有する。これらの流路によって分岐流路が形成されている。端壁部５７ａの下面の開口の数は１つであり、上面の開口の数よりも少ない。
かかる流路を有する吐出部は、一体的に成形された１つの成形体であってもよく、２以上の成形体を勘合したものであってもよい。
【実施例】
【０１２４】
以下、実施例を示して本発明を詳細に説明するが、本発明は以下の記載によって限定されるものではない。
【０１２５】
（（Ａ）成分：界面活性剤）
＜アニオン界面活性剤＞
・ＡＥＳ（１）：ポリオキシアルキレンアルキルエーテル硫酸塩（ポリオキシエチレンラウリルエーテル硫酸ナトリウムとポリオキシエチレンミリスチルエーテル硫酸ナトリウムとの混合物、ＥＯの平均付加モル数１。すなわち、前記式（ａ１）におけるＲ１１が炭素数１２及び１４の直鎖状のアルキル基、ｋが１、ｎが０、Ｍがナトリウムイオンである化合物。総質量に対するｋが０かつｎが０である化合物の割合：４３質量％。特開２０１７−８２１７８号公報の［０１０９］〜［０１１０］記載のＢ−６）。
・ＡＥＳ（２）：ポリオキシアルキレンアルキルエーテル硫酸ナトリウム塩（前記式（ａ１）中、Ｒ１１が炭素数１２のアルキル基、ｋが２、ｎが０、Ｍがナトリウムイオンである化合物。商品名「エマール  ２７０Ｊ」、花王社製）。
・ＡＯＳ：α−オレフィンスルホン酸ナトリウム（商品名「リポランＬＢ−４４０」、ライオン社製）。
・ＬＡＳ：直鎖アルキルベンゼンスルホン酸ナトリウム（商品名「ライポンＬＳ−２５０」、ライオン社製）。
【０１２６】
＜ノニオン界面活性剤＞
・ＢＲＥ（ＥＯ６）：ポリオキシエチレンアルキルエーテル（前記式（ａ２）において、Ｒ１２が炭素数１２のアルキル基（Ｃ１２）及び炭素数１４の直鎖状のアルキル基（Ｃ１４）（質量比でＣ１２：Ｃ１４＝７５：２５）、Ｒ１３が水素原子、ｓが６、ｔが０、ｕが０である化合物。商品名「レオックスＣＬ−６０」、ライオン社製）。
・ＬＭＡＯ（ＥＯ１５）：ポリオキシエチレンアルキルエーテル（前記式（ａ２）において、Ｒ１２が炭素数１２のアルキル基（Ｃ１２）及び炭素数１４の直鎖状のアルキル基（Ｃ１４）であり（質量比でＣ１２：Ｃ１４＝７５：２５）、Ｒ１３が水素原子、ｓが１５、ｔが０、ｕが０である化合物。商品名「ＬＭＡＯ−９０」、ライオン社製）。
【０１２７】
＜カチオン界面活性剤＞
・Ｃ１２カチオン：下記式（Ｘ）で表される化合物（ドデシルトリメチルアンモニウムクロリド、商品名「リポカード１２−３７Ｗ」、ライオン社製）。
【０１２８】
【化２】
2020200383.tif 000004
式中、Ｒ１４はドデシル基、Ｒ１５はメチル基、Ｒ１６はメチル基、Ｒ１７はメチル基である。Ｚ１−は、塩素イオンである。
【０１２９】
＜（Ｂ）成分：消泡剤＞
・ＫＭ９０：エマルション型シリコーン（商品名「ＫＭ−９０」、信越化学工業社製）。
・ＫＭ９８：エマルション型シリコーン（商品名「ＫＭ−９８」、信越化学工業社製）。
・ＫＭ７２Ｓ：エマルション型シリコーン（商品名「ＫＭ−７２Ｓ」、信越化学工業社製）。
・２Ｈ０８：イソオクチル酸２−エチルヘキシル（ライオン社製）。
・ヤシ脂肪酸：商品名「椰子脂肪酸」、日油社製。
【０１３０】
（（Ｃ）成分：クエン酸）
・クエン酸：商品名「無水クエン酸」、扶桑化学工業社製。
【０１３１】
（（Ｄ）成分：糖アルコール）
・グリセリン：商品名「化粧品用グリセリン」、阪本薬品工業社製。
・ソルビトール：商品名「ソルビットＬ−７０」、三菱商事フードテック社製。
【０１３２】
（実施例１〜４５、比較例１〜４）
表１〜３に示す（Ａ）〜（Ｄ）成分及び共通成分を水に加えて混合し、必要に応じてｐＨ調整剤としてモノエタノールアミンを添加してｐＨを調整した後、水を加えて全体量を１００質量％とすることにより、液体洗浄剤組成物を調製した。
表１〜３中、各成分の配合組成の数値は、（Ｂ）成分のシリコーン以外は質量％、シリコーンは質量ｐｐｍで表記した。共通成分の配合組成は下記のとおりである。配合組成は、液体洗浄剤組成物の総質量に対する割合である。表中の配合量は純分換算値である。ｐＨ調整剤の含有量「適量」は、各例の液体組成物の２５℃におけるｐＨを所望に調整するのに要した量である。水の含有量「バランス」は、液体組成物に含まれる全成分の合計が１００質量％となるように加えられる残部を意味する。空欄はその成分が配合されていないことを示す。
［共通成分］
・香料・・・・・・・・・・・・・・・・・・・・・・・・０．１質量％。
・酵素・・・・・・・・・・・・・・・・・・・・・・・・０．０１質量％。
・ＰＥＧ１０００・・・・・・・・・・・・・・・・・・・３質量％。
・エタノール・・・・・・・・・・・・・・・・・・・・・０．５質量％。
・ＢＩＴ（１，２−ベンズイソチアゾリン−３−オン）・・０．００１質量％。
・緑３号・・・・・・・・・・・・・・・・・・・・・・・０．０００００１質量％。
共通成分を構成する各成分の詳細は以下のとおりである。
・香料：特開２００３−２６８３９８号公報の表７〜１４に記載の香料組成物Ａ。
・酵素：商品名「Ｍｅｄｌｅｙ（登録商標）Ｃｏｒｅ２１０Ｌ」、ノボザイムズ社製。
・ＰＥＧ１０００：重量平均分子量１０００のポリエチレングリコール、商品名「ＰＥＧ＃１０００−Ｌ６０」、ライオン社製。
・エタノール：商品名「特定アルコール９５度合成」、日本合成アルコール株式会社製。
・ＢＩＴ：商品名「ＮＩＰＡＣＩＤＥ  ＢＩＴ  ２０」、クラリアント社製。
・緑３号：商品名「緑色３号」、癸巳化成社製。
【０１３３】
得られた液体洗浄剤組成物を、図１、図６〜７に示す形状の容器本体に収容し、容器本体の口部にキャップを装着して容器入り液体洗浄剤製品を得た。
キャップは、表１〜３に示す「流路及びその近傍の形状」及び「吐出孔数」を有するものを使用した。各キャップは、合成樹脂（ポリプロピレン樹脂）を射出成形法により成形して製造した。実施例１１で使用したキャップについては、合成樹脂に対して０．３質量％のシリコーン樹脂を練り込んで成形した。
【０１３４】
表１〜３中の（１’）、（１）〜（７）の「流路及びその近傍の形状」はそれぞれ図１２に示すとおりである。
図５の表記を参酌して説明すると、図１２中、「内側」は流路の容器内側の開口、つまり流入孔を示す。「外側」は流路の容器外側の開口、つまり吐出孔を示す。θ１は、軸線Ｊ及び流路の軸線を通る断面と流路の内周面との交線のうち、軸線Ｊ側（内周側）の交線の、ＸＹ方向に対する角度である。θ２は、前記交線のうち、軸線Ｊとは反対側（外周側）の交線の、ＸＹ方向に対する角度である。
【０１３５】
（１’）：外側の孔径／内側の孔径＝０．６ｍｍ／０．６ｍｍ、内周面の傾斜なし（θ１／θ２＝９０°／９０°）、流路の長さ＝１．３ｍｍ、突起部なし、吐出孔の配置は図３〜４。
（１）：外側の孔径／内側の孔径＝０．６ｍｍ／１．５ｍｍ、内周面が一部傾斜（θ１／θ２＝５５°／９０°）、流路の長さ＝１．３ｍｍ、突起部なし、吐出孔の配置は図３〜４。
（２）：外側の孔径／内側の孔径＝１．０ｍｍ／１．９ｍｍ、内周面が一部傾斜（θ１／θ２＝５５°／９０°）、流路の長さ＝１．３ｍｍ、突起部なし、吐出孔の配置は図３〜４。
（３）：外側の孔径／内側の孔径＝０．６ｍｍ／１．４ｍｍ、内周面が一部傾斜（θ１／θ２＝７５°／９０°）、流路の長さ＝１．３ｍｍ、突起部なし、吐出孔の配置は図３〜４。
（４）：外側の孔径／内側の孔径＝０．６ｍｍ／２．０ｍｍ、内周面が一部傾斜（θ１／θ２＝４０°／９０°）、流路の長さ＝１．３ｍｍ、突起部なし、吐出孔の配置は図３〜４。
（５）：外側の孔径／内側の孔径＝０．６ｍｍ／１．５ｍｍ、内周面が一部傾斜（θ１／θ２＝５５°／９０°）、流路の長さ＝１．３ｍｍ、突起部あり（θ３／θ４＝４５°／４５°）、平坦部なし、吐出孔の配置は図３〜４。
（６）：外側の孔径／内側の孔径＝０．６ｍｍ／１．５ｍｍ、内周面が一部傾斜（θ１／θ２＝５５°／９０°）、流路の長さ＝１．３ｍｍ、突起部あり（θ３／θ４＝４５°／４５°）、平坦部あり（平坦部の長さＬ３：０．１５ｍｍ）、吐出孔の配置は図３〜４。
（７）：外側の孔径／内側の孔径＝０．６ｍｍ／１．５ｍｍ、内周面が一部傾斜（θ１／θ２＝５５°／８５°）、流路の長さ＝１．３ｍｍ、突起部あり（θ３／θ４＝４５°／４５°）、平坦部あり（平坦部の長さＬ３：０．１５ｍｍ）、吐出孔の配置は図３〜４。
【０１３６】
「流路及びその近傍の形状」が（５）、（６）、（７）で、「流路の数」が４であるキャップは、図２〜５に示したキャップ５と同様である（Ｌ１＝３ｍｍ、Ｌ２＝１．４ｍｍ）。
「流路及びその近傍の形状」が（１’）、（１）、（２）、（３）、（４）で、「流路の数」が４であるキャップは、突起部５７ｂが無いこと以外は、図２〜５に示したキャップ５と同様である（Ｌ１＝３ｍｍ）。
これらのキャップにおいて、４つの吐出孔は、平面視で正方形の頂点の位置に配置されている。吐出孔８１ｂ〜８４ｂの孔径が０．６ｍｍの場合（実施例１〜３７、３９、４０、４３〜４５、比較例１〜３）、各吐出孔の外縁を結ぶ環状線Ｍで囲われた面積は１７．６ｍｍ２である。また、吐出孔８１ｂ〜８４ｂの孔径が１．０ｍｍの場合（実施例３８）の面積は２５ｍｍ２である。
「流路及びその近傍の形状」が（１）で、「流路の数」が２であるキャップ（実施例４１）は、図４の吐出孔８１ｂ〜８４ｂのうち、軸線Ｊに対して点対称の位置にある吐出孔８１ｂと８３ｂのみを設けた形状で、それ以外は実施例３と同じである（Ｌ１＝３ｍｍ、吐出孔８１ｂと８３ｂの孔径が０．６ｍｍ、環状線Ｍで囲われた面積は２．５ｍｍ２）。
「流路及びその近傍の形状」が（１）で、「流路の数」が６であるキャップ（実施例４２）は、６つの吐出孔を、平面視で正六角形の頂点の位置に配置したこと以外は、キャップ５と同様である。各吐出孔の孔径は０．６ｍｍであり、各吐出孔の外縁を結ぶ環状線Ｍで囲われた面積は４５．８ｍｍ２である。
なお、前述の実施形態は、いずれも軸線Ｚ１が流入孔８１ａから吐出孔８１ｂに向かうに従い吐出部５５の軸線Ｊから遠ざかるように、軸線Ｊに対して傾斜している。
「流路及びその近傍の形状」が（１）で、「流路の数」が１であるキャップ（比較例４）は、突起部５７ｂが無いこと、及び軸線Ｊの位置のみに流路を１つ配置したこと以外は、キャップ５と同様である。
「吐出孔数」は流路の数と同じである。
【０１３７】
各例の容器入り液体洗浄剤製品について以下の評価を行った。
【０１３８】
＜泡立ち＞
「試験方法」
エプトン管（直径２．８ｃｍ×高さ２５ｃｍ）に、各例で用いた液体洗浄剤組成物２０ｇを入れ、２５℃に調温後、３０回振とうし、気泡した直後の泡立ちの高さを測定し、以下の基準で評価した。泡立ちの高さが低いほど、抑泡性に優れる。△、○、◎を合格とした。結果を表１〜３に示す。
「評価基準」
◎：１０ｃｍ未満。
○：１０ｃｍ以下１５ｃｍ未満。
△：１５ｃｍ以上２０ｃｍ未満。
×：２０ｃｍ以上。
【０１３９】
＜広い面への使用性＞
「試験方法」
９人の被験者が、容器入り液体洗浄剤製品を用いて、（汚れた枕カバーに塗布することを想定し）繊維製品の２５ｃｍ×３０ｃｍの範囲に液体洗浄剤組成物の塗布を行い、それぞれの容器入り液体洗浄剤製品について、「ムラなく塗れる感じ」、「楽に塗れる感じ」を７段階で評点した。それらの平均値を算出し、以下の基準で評価した。平均値が大きいほど、広い面への使用性に優れる。△、○、◎を合格とした。結果を表１〜３に示す。
「評価基準」
◎：５．０点以上。
○：４．５点以上〜５．０点未満。
△：４．０点以上〜４．５点未満。
×：４．０点未満。
【０１４０】
＜噴射角度＞
図１３に示すとおり、容器入り液体洗浄剤製品を、繊維製品の上に、キャップ本体の軸線Ｊが垂直方向となるように吐出部の先端側を下に向け、吐出部の先端が繊維製品から１００ｍｍの高さに位置するように配置し、容器本体の胴部をスクイズして液体洗浄剤組成物をシャワー状に吐出した。このときの軸線Ｊに対する噴射角度θ５を求めた。
その結果、実施例１の吐出角度θ５は４．３°であり、比較例３の吐出角度θ５は１°であった。
【０１４１】
＜吐出後の吐出孔周面の液残り＞
「試験方法」
容器入り液体洗浄剤製品から液体洗浄剤組成物をシャワー状に吐出した後、吐出孔周面の液残りの状態を目視で観察し、以下の基準で評価した。○、◎を合格とした。結果を表１〜３に示す。
「評価基準」
◎：吐出孔周面がほとんど濡れておらず、吐出孔が液で塞がれていない。
○：吐出孔周面が濡れているが、吐出孔が液で塞がれていない。
×：吐出孔周面が濡れており、吐出孔が液で塞がれている。
【０１４２】
＜吐出時の液の合一＞
「試験方法」
９人の被験者が、吐出部が濡れていない容器入り液体洗浄剤製品を用いて、２秒間吐出を行った。その後吐出部を乾いたタオルで拭いたのち、再度吐出を行う操作を１０回繰り返し、１０回の内、液が吐出孔の数と同数に分かれて吐出された回数を観測し、以下の基準で評価した。回数が少ないほど、吐出時の液の合一抑制効果に優れる。△、○、◎を合格とした。結果を表１〜３に示す。
「評価基準」
◎：０〜１回。
○：２〜４回。
△：５〜７回。
×：８〜１０回。
【０１４３】
＜再吐出時の液の合一＞
「試験方法」
９人の被験者が、容器入り液体洗浄剤製品を用いて、２秒間吐出を行い、３秒間吐出を止める操作を１０回繰り返した。１０回の内、液が吐出孔の数と同数に分かれて吐出された回数を観測し、上記と同様の基準で評価した。結果を表１〜３に示す。
【０１４４】
＜内容液の外観安定性＞
「試験方法」
透明のガラス製瓶に、各例の液体洗浄剤組成物４０ｇをそれぞれ充填し、蓋を閉めて密封した。この状態で、０℃及び５０℃の各恒温槽に１週間又は１カ月静置して保存した。保存後、液の外観を目視で観察し、下記の基準で液体洗浄剤組成物の液安定性を評価した。△、○、◎を合格とした。結果を表１〜３に示す。
「評価基準」
◎：０℃及び５０℃の両方で、１ヶ月保存後も無色透明であり流動性がある。
○：０℃及び５０℃の両方で、１週間保存後に無色透明であり流動性があり、１ヶ月保存後に、にごりがあるものの、全体は均一であり流動性がある。
△：０℃及び５０℃の両方で、１週間保存後及び１ヶ月保存後に、にごりがあるものの、全体は均一であり流動性がある。
×：０℃及び５０℃の少なくとも一方で、保存後（１週間又は１ヶ月）に析出又は濁りの発生や内容液の固化が認められた。
【０１４５】
＜かけおき洗浄力＞
（１）油汚れ汚垢布の作製と洗浄
５ｃｍ×５ｃｍに裁断したＢ．Ｖ．Ｄ．  ＧＯＬＤ  綿１００％  丸首半袖Ｔシャツ（谷頭商店）を未汚垢布として用いた。
牛脂をクロロホルムで５倍に希釈し０．０３質量％のオイルレッドを添加したモデル汚垢油を０．０５０ｍＬ滴下し、室温にて２時間風乾したものを油汚れ汚垢布（洗浄前）とした。
油汚れ汚垢布５枚のそれぞれに対し、油を滴下した部分にピペットを用いて評価対象の液体洗浄剤組成物を０．３ｍＬふりかけて塗布し、２５℃、６０％の環境下で６時間放置したものを試験布とした。
次いで、１５℃の水道水９００ｍＬと市販の洗剤（商品名「トップスーパーＮＡＮＯＸ」、ライオン社製）０．３ｇを入れたＴｅｒｇ−Ｏ−Ｔｏｍｅｔｅｒ（ＵＮＩＴＥＤ  ＳＴＡＴＥＳ  ＴＥＳＴＩＮＧ社製）に、上記試験布５枚と、チャージ布（メリヤス布を細かく裁断し、充分に洗浄とすすぎを行い乾燥したもの）を入れ、１２０ｒｐｍで１０分間洗浄した。チャージ布の量は、浴比（洗浄液の質量／チャージ布の総質量）が２０倍となるように設定した。
その後、洗浄後の試験布５枚を取り出し、２槽式洗濯機（品番「ＣＷ−Ｃ３０Ａ１型」三菱電機社製）で３分間流水すすぎをし、１分間脱水した後、風乾したものを洗浄後の油汚れ汚垢布とした。
【０１４６】
（２）かけおき洗浄力の評価
測色色差計（商品名「ＳＥ２０００」、日本電色社製）を用い、未汚垢布、及び洗浄前後の油汚れ汚垢布についての反射率をそれぞれ測定し、下記式（ｉｉ）により洗浄率（％）を求めた。この洗浄率の値が大きいほど、洗浄力が高いことを意味する。
洗浄率（％）＝（洗浄前の油汚れ汚垢布のＫ／Ｓ−洗浄後の油汚れ汚垢布のＫ／Ｓ）／（洗浄前の油汚れ汚垢布のＫ／Ｓ−未汚垢布のＫ／Ｓ）×１００  ・・・（ｉｉ）
［式（ｉｉ）中、Ｋ／Ｓは、（１−Ｒ／１００）２／（２Ｒ／１００）であり、Ｒは、洗浄前の油汚れ汚垢布、洗浄後の油汚れ汚垢布又は未汚垢布の反射率（％）を表す。また、Ｋは吸光係数、Ｓは散乱係数、Ｒは絶対反射率をそれぞれ表す。］
【０１４７】
５枚の油汚れ汚垢布の洗浄率の平均値を算出し、下記の基準でかけおき洗浄力を評価した。洗浄率の平均値が５０％以上であるとき合格と判定する。結果を表１〜３に示す。
「評価基準」
◎◎：洗浄率の平均値が７０％以上。
◎：洗浄率の平均値が６０％以上７０％未満。
○：洗浄率の平均値が５０％以上６０％未満。
△：洗浄率の平均値が５０％未満。
【０１４８】
＜よごれの広がり＞
「汚れの拡がり防止性の評価」
（１）油汚れ汚垢布の作製
５ｃｍ×５ｃｍに裁断したＢ．Ｖ．Ｄ．  ＧＯＬＤ  綿１００％  丸首半袖Ｔシャツ（谷頭商店）を未汚垢布として用いた。
未汚垢布に、オレイン酸及びトリオレイン等を含む混合油に０．０３質量％のオイルレッドを添加した皮脂モデル汚垢油を０．０５０ｍＬ滴下し、室温にて１時間乾燥させたものを油汚れ汚垢布とした。
【０１４９】
（２）汚れの拡がり防止性の評価
油汚れ汚垢布５枚のそれぞれに対し、油を滴下した部分にピペットを用いて評価対象の液体洗浄剤組成物を０．３ｍＬふりかけて塗布し、２５℃、６０％の環境下で１２時間放置したものを試験布とした。
液体洗浄剤組成物を塗布する前の油汚れ汚垢布（対照）、及び液体洗浄剤組成物を塗布し、１２時間放置した試験布について、油汚れの長軸の長さを拡がり径として測定した。５枚の油汚れ汚垢布の拡がり径の平均値を算出し、下記の手順で「拡がり径の平均値の差」を求めた。
試験布における拡がり径の平均値をＡ（ｍｍ）、対照における拡がり径の平均値をＢ（ｍｍ）とするとき、Ａ−Ｂを「拡がり径の平均値の差」とする。
「拡がり径の平均値の差」から下記の基準で汚れの拡がり防止性を評価した。「拡がり径の平均値の差」が６ｍｍ未満であるとき合格と判定する。結果を表１〜３に示す。
「評価基準」
◎：拡がり径の平均値の差が３ｍｍ未満。
○：拡がり径の平均値の差が３ｍｍ以上６ｍｍ未満。
×：拡がり径の平均値の差が６ｍｍ以上。
【０１５０】
【表１】
2020200383.tif 000005
【０１５１】
【表２】
2020200383.tif 000006
【０１５２】
【表３】
2020200383.tif 000007
【０１５３】
実施例１〜４５の容器入り液体洗浄剤製品は、液体洗浄剤組成物を複数の吐出孔からシャワー状に吐出するときの吐出液の合一を抑制できた。
比較例１、３の容器入り液体洗浄剤製品は、液体洗浄剤組成物を複数の吐出孔からシャワー状に吐出するときに複数の吐出孔が消泡機能又は撥水機能を有しないため、吐出液の合一が生じた。
比較例２の容器入り液体洗浄剤製品は、液体洗浄剤組成物が（Ａ）成分を含まないため、吐出液の合一は問題にはならないが、洗浄力に劣り、容器入り液体洗浄剤製品としての有用性が低かった。
比較例４の容器入り液体洗浄剤製品は、液体洗浄剤組成物を１つの吐出孔から吐出するため、吐出液の合一は問題にはならないが、広い面への使用性に劣っていた。
【符号の説明】
【０１５４】
１  容器、３  容器本体、５  キャップ、１０  口部、２０  肩部、３０  胴部、３１〜３４  側壁部、４０  底部、５０  キャップ本体、５１  外側筒部、５３  上板部、５２  内側筒部、５４  嵌合段部、５５  吐出部、５７  先端部、５７ａ  端壁部、５７ｂ  突起部、５８  筒部、５９ａ〜５９ｄ  貫通孔、６０  蓋部、６１  天面部、６２  栓部、７０  ヒンジ部、８０  複数の流路、８１〜８４  流路、８１ａ  流入孔、８１ｂ〜８４ｂ  吐出孔、８１ｃ  内周面、９１〜９４  平坦部
【図１】
2020200383.tif 000008
【図２】
2020200383.tif 000009
【図３】
2020200383.tif 000010
【図４】
2020200383.tif 000011
【図５】
2020200383.tif 000012
【図６】
2020200383.tif 000013
【図７】
2020200383.tif 000014
【図８】
2020200383.tif 000015
【図９】
2020200383.tif 000016
【図１０】
2020200383.tif 000017
【図１１】
2020200383.tif 000018
【図１２】
2020200383.tif 000019
【図１３】
2020200383.tif 000020